(57)【特許請求の範囲】
【請求項１】
主鎖に尿素結合を有するフェノール系樹脂を含有することを特徴とする感光性組成物。
【請求項２】
前記主鎖に尿素結合を有するフェノール系樹脂が、一般式（Ａ）で表される構成単位を有することを特徴とする請求項１に記載の感光性組成物。
【化１】
0004184813.tif 000025
式中、ｌ＝１、２、３、４、ｍ＝０、１、２、３、ｎ＝０、１、２、３であり、ｌ＋ｍ＋ｎ＝１、２、３、４であり、ｋは繰り返し単位であることを示し、Ｒは、エーテル残基、またはエステル残基、またはウレタン残基、またはカーボネート残基を表し、Ｒ’は炭素数２０以下の置換されていてもよい１価の有機基を表す。
【請求項３】
更に、エチレン性不飽和化合物とラジカル重合開始剤を含有することを特徴とする請求項１又は２に記載の感光性組成物。
【請求項４】
更に、光熱変換剤を含有することを特徴とする請求項１〜３のいずれかに記載の感光性組成物。
【請求項５】
支持体表面に、請求項１〜４のいずれかに記載の感光性組成物からなる感光層が設けられていることを特徴とする感光性平版印刷版。
【発明の詳細な説明】
【０００１】
【発明の属する技術分野】
本発明は、感光性組成物、感光性平版印刷版およびこれを用いた平版印刷版の作製方法に関する。
【０００２】
【従来の技術】
従来より、オフセット印刷分野で使用される平版印刷版は、基板上に感光層を設けた感光性平版印刷版に、あらかじめ画像形成された銀塩マスクフィルムを密着させた後、活性光線による全面露光を行って感光性平版印刷版上に画像を転写し、その後湿式現像、後処理および乾燥の工程を経て作製される。
この時用いられる活性光線としては、例えば、水銀灯、メタルハライドランプ、キセノンランプ、ケミカルランプ、カーボンアーク灯等が挙げられる。これら光源の出力波長に対応して感光性平版印刷版の感光層は３００〜４５０ｎｍの光に対して感光するように設計されている。
【０００３】
このような感光性平版印刷版としては、アルカリ水溶液からなる現像液（以下、アルカリ現像液と記す）で現像可能なポジ型感光性平版印刷版が挙げられる。このようなポジ型感光性平版印刷版の感光層に用いられるポジ型感光性組成物としては、ノボラック樹脂などのアルカリ可溶性樹脂およびキノンジアジド化合物を含有する感光性組成物が知られている。
また、水性アルカリ現像液で現像可能なネガ型感光性平版印刷版も知られている。このようなネガ型感光性平版印刷版の感光層に用いられるネガ型感光性組成物としては、アルカリ可溶性樹脂および感光性ジアゾニウム化合物を含有する感光性組成物や、アルカリ可溶性樹脂、エチレン性不飽和化合物およびラジカル重合開始剤を含有する感光性組成物が挙げられる。
【０００４】
また、近年、コンピュータ画像処理技術の進歩に伴い、デジタル信号に対応した光照射により直接感光層に画像を書き込む方法が開発されている。本システムを平版印刷版に利用し、銀塩マスクフィルムへの出力を行わずに、直接、感光性平版印刷版に画像を形成するコンピュータ・トゥ・プレート（ＣＴＰ）システムが注目されている。光照射の光源としては、Ａｒイオンレーザー、ＹＡＧレーザー、Ｈｅ−Ｎｅレーザー、半導体レーザー等、３００ｎｍ〜１２００ｎｍの紫外光、可視光、赤外光領域に最大強度を有するレーザーを用いることができる。近赤外または赤外領域に最大強度を有する高出力レーザーを用いるＣＴＰシステムは、短時間の露光で高解像度の画像が得られること、そのシステムに用いる感光性平版印刷版が明室での取り扱いが可能であること、などの利点を有している。特に、波長７６０ｎｍ〜１２００ｎｍの赤外線を放射する固体レーザーおよび半導体レーザーは、高出力かつ小型のものが容易に入手できるようになってきている。
【０００５】
このような赤外線を放射する固体レーザーまたは半導体レーザーを用いて画像を形成することが可能なポジ型感光性組成物としては、アルカリ可溶性樹脂（ノボラック樹脂等）および光熱変換剤（染料、顔料等の赤外線吸収剤）を含有する感光性組成物が知られている。
また、このような赤外線を放射する固体レーザーまたは半導体レーザーを用いて画像を形成することが可能なネガ型感光性組成物としては、アルカリ可溶性樹脂（ノボラック樹脂等）、酸架橋剤（レゾール樹脂等）、熱により酸を発生する化合物（酸発生剤）、および光熱変換剤（染料、顔料等の赤外線吸収剤）からなるものが、特開平７−２０６２９号公報に提案されている。
また、Ａｒイオンレーザー、ＹＡＧレーザー、Ｈｅ−Ｎｅレーザー、半導体レーザー等の可視光から赤外光を発するレーザーを用いて画像を形成することが可能なネガ型感光性組成物としては、エチレン性不飽和化合物、４００〜１２００ｎｍの範囲に吸収極大を有する増感色素および光重合開始剤からなるものが、特開２０００−１８１０５９号公報、特開平２−２４４０５０号公報などに提案されている。
【０００６】
これらアルカリ現像可能な感光性平版印刷版の感光層に用いられるアルカリ可溶性樹脂としては、ノボラック樹脂の他に、カルボキシル基、フェノール性水酸基、スルホン酸基、リン酸基、スルホンアミド基、活性イミド基などの酸性基を有するビニル系重合体、ポリウレタン等の重付加系重合体、ポリエステル等の重縮合系重合体などが挙げられる。しかしながら、このようなアルカリ可溶性樹脂を含む感光層は、各種印刷薬品（洗い油、湿し水、ガム液、版面保護液、プレートクリーナー）中に含まれる溶剤に対する耐溶剤性が不十分であるという問題を有していた。特に、ＵＶインキ印刷時に使用されるＵＶインキ洗い油に対する耐性が不十分であり、画像部が有機溶剤に浸蝕されるという問題を有していた。また、その結果、耐刷性が不十分となるという問題を有していた。
【０００７】
耐溶剤性、耐刷性が改良された感光性組成物としては、特開平８−３３９０８０号公報に、側鎖にシアノ基と尿素結合を有する樹脂を含有する感光性組成物が提案されている。また、特開平８−３３９０８２号公報および特開２０００−３３０２６５公報には、側鎖に尿素結合を有する樹脂を含有する感光組成物が、良好な耐溶剤性、耐刷性を有すると記載されている。
しかしながら、上記感光性組成物からなる感光層は、いまだ耐溶剤性、耐刷性が不十分であり、特に、ＵＶインキ印刷時に使用されるＵＶインキ洗い油に対する耐性のさらなる改良が求められていた。
【０００８】
また、耐摩耗性が改良された感光性組成物として、特開平６３−２６１３５０号公報に、側鎖にスルホニルウレイド基等を有するアルカリ可溶性ポリウレタン樹脂を含有する感光性組成物が提案され、特開昭６３−２８７９４３号公報には、カルボキシル基を有するアルカリ可溶性ポリ（ウレタン−ウレア）樹脂を含有する感光性組成物が提案されている。
また、耐刷性に優れた感光性平版印刷版としては、特開２０００−１９９９５０号公報に、シアノ基含有樹脂から形成された感光層を有する感光性平版印刷版が提案されている。
しかしながら、上述したいずれの感光組成物においても、耐溶剤性、耐摩耗性が不十分であり、これらの感光組成物を用いて製造される感光性平版印刷版も十分に満足のいくものではなかった。
【０００９】
また、現像処理後の平版印刷版を加熱処理（以下、バーニング処理と記す）することによって、画像部を硬化させ、耐刷性を向上させる方法が、例えば、英国特許第１，１５１，１９９号明細書および英国特許第１，１５４，７４９号明細書に記載されている。バーニング処理は、通常、平版印刷版を１８０〜３２０℃で１〜６０分間加熱することによって行われる。
しかしながら、感光層を形成する感光性組成物によっては、バーニング汚れが発生したり、画像部（細線）が欠落してしまうなっどの問題が生じることがあった。
【００１０】
【特許文献１】
特開平７−２０６２９号公報（全頁）
【特許文献２】
特開２０００−１８１０５９号公報（全頁）
【特許文献３】
特開平２−２４４０５０号公報（全頁）
【特許文献４】
特開平８−３３９０８０号公報（全頁）
【特許文献５】
特開平８−３３９０８２号公報（全頁）
【特許文献６】
特開２０００−３３０２６５公報（全頁）
【特許文献７】
特開平６３−２６１３５０号公報（全頁）
【特許文献８】
特開昭６３−２８７９４３号公報（全頁）
【特許文献９】
特開２０００−１９９９５０号公報（全頁）
【特許文献１０】
英国特許第１，１５１，１９９号明細書（全頁）
【特許文献１１】
英国特許第１，１５４，７４９号明細書（全頁）
【００１１】
【発明が解決しようとする課題】
よって、本発明の目的は、耐溶剤性、耐摩耗性に優れた塗膜を得ることができる感光性組成物、および耐溶剤性、特にＵＶインキ印刷時に使用されるＵＶインキ洗い油に対する耐性に優れ、かつ耐刷性、露光可視画像性に優れたバーニング処理可能な感光性平版印刷版を提供することにある。
【００１２】
【課題を解決するための手段】
本発明者らは、上記課題を解決すべく鋭意検討を重ねた結果、主鎖に尿素結合を有するフェノール系樹脂が、塗膜の耐溶剤性および耐摩耗性を改良する効果を有することを見いだし、本発明を完成するに至った。
すなわち、本発明の感光性組成物は、主鎖に尿素結合を有するフェノール系樹脂を含有することを特徴とする。
また、上記主鎖に尿素結合を有するフェノール系樹脂が、ジメチロールウレアと、フェノール類、ビスフェノール類、ヒドロキシナフタレン類、ｐ−クレゾール／ホルムアルデヒドの低分子量縮合化合物からなる群より選ばれるいずれかのモノマーとの縮合重合により得られる樹脂であることが好ましい。
また、上記主鎖に尿素結合を有するフェノール系樹脂において、フェノール性ヒドロキシル基が、エーテル基、エステル基、ウレタン基、カーボネート基からなる群のいずれかに置換されていることが好ましい。
また、上記主鎖に尿素結合を有するフェノール系樹脂が、一般式（Ａ）で表される構成単位を有することが好ましい。
【００１３】
【化２】
0004184813.tif 000002
【００１４】
式中、ｌ＝１、２、３、４、ｍ＝０、１、２、３、ｎ＝０、１、２、３であり、ｌ＋ｍ＋ｎ＝１、２、３、４である。ｋは繰り返し単位であることを示す。Ｒは、エーテル残基、またはエステル残基、またはウレタン残基、またはカーボネート残基を表す。Ｒ’は炭素数２０以下の置換されていてもよい１価の有機基を表す。
【００１５】
更に、上記感光性組成物は、ｏ−キノンジアジド化合物を含有することが好ましい。
更に、上記感光性組成物は、感光性ジアゾニウム化合物を含有することが好ましい。
更に、上記感光性組成物は、エチレン性不飽和化合物とラジカル重合開始剤を含有することが好ましい。
更に、上記感光性組成物は、光熱変換剤を含有することが好ましい。
更に、上記感光性組成物は、酸発生剤、酸架橋剤、及び光熱変換剤を含有することが好ましい。
本発明の感光性平版印刷版は、支持体表面に、本発明の感光性組成物からなる感光層が設けられていることを特徴とする。
【００１６】
本発明の平版印刷版の作製方法は、本発明の感光性平版印刷版の感光層上に、あらかじめ画像形成された銀塩マスクフィルムを密着させた状態で、感光層を活性光線によって露光する露光工程と、露光工程後の感光性平版印刷版を、アルカリ性水溶液を用いて現像する現像工程とを有することを特徴とする。
また、本発明の平版印刷版の作製方法は、本発明の感光性平版印刷版の感光層に、デジタル画像情報をもとにレーザー光を使用して潜像を形成する潜像形成工程と、潜像形成工程後の感光性平版印刷版を、アルカリ性水溶液を用いて現像する現像工程とを有することを特徴とする。
また、本発明の平版印刷版の作製方法は、現像工程後の平版印刷版を加熱処理するバーニング処理工程を有していてもよい。
【００１７】
【発明の実施の形態】
（主鎖に尿素結合を有するフェノール系樹脂）
本発明の感光性組成物は、主鎖に尿素結合を有するフェノール系樹脂を含有する。主鎖に尿素結合を有するフェノール系樹脂とは、主鎖に、フェノール性水酸基、若しくはそのエステル、エーテル等の誘導体を有するベンゼン核と、尿素結合（−ＮＨＣＯＮＨ−）とを有する樹脂である。
また、このような樹脂の中でも、得られる平版印刷版がアルカリ現像液で現像可能となることから、アルカリ可溶性樹脂であることが好ましい。
【００１８】
本発明の感光性組成物に適用されるフェノール系樹脂を製造する一つの方法としては、下記反応式（Ｉ）に示されるように、フェノール類モノマーとＮ，Ｎ’−ジメチロールウレア（ＤＭＵ）とを縮合重合することにより得ることができる。
【００１９】
【化３】
0004184813.tif 000003
【００２０】
式中、ｌ＋ｍ＝１、２、３、４であり、ｋは繰り返しであることを示す。
【００２１】
上記フェノール類モノマーとしては、置換基を有していてもよいモノヒドロキシベンゼン誘導体（置換基の数は最大３）、置換基を有していてもよいジヒドロキシベンゼン誘導体（置換基の数は最大２）、置換基を有していてもよいトリヒドロキシベンゼン誘導体（置換基の数は最大１）、テトラヒドロキシベンゼン等のフェノール類、ビスフェノール類、ナフタレン類、ｐ−クレゾール／ホルムアルデヒドの低分子量化合物類等が挙げられる。
【００２２】
上記モノヒドロキシベンゼン誘導体としては、フェノール、ｏ−クレゾール、ｍ−クレゾール、ｐ−クレゾール、４−エチルフェノール、４−プロピルフェノール、４−ブチルフェノール、４−クロロフェノール、４−アセチルフェノール、３−エチルフェノール、２−エチルフェノール、２，５−キシレノール、３，５−キシレノール等が挙げられる。
【００２３】
上記ジヒドロキシベンゼン誘導体としては、カテコール、４−メチルカテコール、４−エチルカテコール、４−プロピルカテコール、４−ｔ−ブチルカテコール、４−クロルカテコール、４−ブロムカテコール、４−アセチルカテコール、３−メトキシカテコール、３−クロルカテコール、３−フロロカテコール、３，５−ジ−ｔ−ブチルカテコール、レゾルシノール、４−メチルレゾルシノール、４−エチルレゾルシノール、４−プロピルレゾルシノール、４−ヘキシルレゾルシノール、４−ｔ−ブチルレゾルシノール、４−ｔ−オクチルレゾルシノール、４−クロルレゾルシノール、４−ブロムレゾルシノール、４−アセチルレゾルシノール、２−メチルレゾルシノール、２−アセチルレゾルシノール、５−メチルレゾルシノール、５−メトキシレゾルシノール、５−アセチルレゾルシノール、２，５−ジメチルレゾルシノール、４−カルベトキシ−５−メチルレゾルシノール、ハイドロキノン、メチルハイドロキノン、エチルハイドロキノン、ｔ−ブチルハイドロキノン、フェニルハイドロキノン、アセチルハイドロキノン、クロロハイドロキノン、ブロモハイドロキノン、２，６−ジメチルハイドロキノン、２，５−ジ−ｔ−ブチルハイドロキノン、２，５−ジ−ｔ−ペンチルハイドロキノン等が挙げられる。
【００２４】
上記トリヒドロキシベンゼン誘導体としては、ピロガロール、５−メチルピロガロール、５−エチルピロガロール、５−プロピルピロガロール、フロログルシノール、２−アセチルフロログルシノール、没食子酸、没食子酸メチル、没食子酸エチル、没食子酸ベンジル、１，２，４−トリヒドロキシベンゼン等が挙げられる。
【００２５】
上記ビスフェノール類としては、下記の構造式で表されるものが好適に用いられ、具体的には、２，２’−ビフェノール、４，４’−ビフェノールなどのビフェノール類、ビスフェノールＡ、ビスフェノールＢ、ビスフェノールＳ、テトラメチルビスフェノールＡ、４，４’−シクロヘキシリデンビスフェノール、４，４’−エチリデンビスフェノール、４，４’−オキシビスフェノール、２，２’−ジヒドロキシジフェニルメタン、２，４’−ジヒドロキシジフェニルメタン、４，４’−ジヒドロキシジフェニルメタン、４，４’−ジヒドロキシジフェニルスルフィド、４，４’−ジヒドロキシジフェニルスルホン等が挙げられる。
【００２６】
【化４】
0004184813.tif 000004
【００２７】
式中、Ｒａ＋Ｒｂ≦６であり、Ｘ＝単結合、Ｓ、Ｏ、ＳＯ、ＳＯ２ 、ＣＨ２ 、Ｃ（ＣＨ３）２、ＣＨ２ＣＨ２、（ＣＨ２）４を示す。
【００２８】
上記ナフタレン類としては、１−ナフトール、２−ナフトール、１，２−ジヒドロキシナフタレン、１，３−ジヒドロキシナフタレン、１，４−ジヒドロキシナフタレン、１，５−ジヒドロキシナフタレン、１，６−ジヒドロキシナフタレン、１，７−ジヒドロキシナフタレン、２，３−ジヒドロキシナフタレン、２，７−ジヒドロキシナフタレン、２，６−ジヒドロキシナフタレン、１−アセチル−２−ジヒドロキシナフタレン、２−アセチル−１−ジヒドロキシナフタレン等が挙げられる。
【００２９】
上記ｐ−クレゾール／ホルムアルデヒドの低分子量化合物類としては、ｐ−クレゾール／ホルムアルデヒド縮合物の２核体、３核体、４核体、５核体ないしこれらの混合物が挙げられる。
【００３０】
また、上述したように合成されたフェノール系樹脂に変性反応を施して、フェノール系樹脂のヒドロキシル基が置換されたものも、本発明のフェノール系樹脂として好適に利用できる。特に、フェノール系樹脂のヒドロキシル基が、エーテル基（−Ｏ−Ｒ''）、エステル基（−ＯＣＯ−Ｒ''）、ウレタン基（−ＯＣＯ−ＮＨ−Ｒ''）、カーボネート基（−ＯＣＯ２−Ｒ'' ）からなる群のいずれかに置換されていることが、耐溶剤性を向上させる点で、好ましい。
【００３１】
フェノール系樹脂の変性反応としては、各種有機ハロゲン化物、有機シラン化合物または有機シリルクロリド類との置換反応や、各種イソシアナート化合物類やエポキシ化合物類などの反応性化合物との付加反応等が挙げられる。具体的には、下記反応式（II）で示すように、塩基性化合物の存在下で、有機ハロゲン化合物を反応させて得られるエーテル誘導体、下記反応式(III）で示すように、塩基性化合物の存在下で、有機シリルクロリド類を反応させて得られるシリルエーテル誘導体、下記反応式（IV）で示すように、塩基性化合物の存在下で、有機シランやシロキサン類を反応させて得られるシリルエーテル誘導体、下記反応式（Ｖ）〜(VII）で示すように、塩基性化合物の存在下で、有機酸クロライド、有機スルホン酸クロライド、有機燐酸クロライド等の有機酸クロライド類を反応させて得られるエステル誘導体、下記反応式（VIII）で示すように、塩基性化合物の存在下で、各種クロル蟻酸エステル類を反応させて得られるカーボネート誘導体、下記反応式（IX）で示すように、各種イソシアナートとの付加反応により得られるウレタン誘導体、下記反応式（Ｘ）で示すように、各種エポキシ化合物との付加反応により得られるエーテル誘導体などがある。
【００３２】
【化５】
0004184813.tif 000005
【００３３】
式中、ｌ＋ｍ＝１、２、３、４であり、ｋは繰り返し単位であることを示す。
【００３４】
【化６】
0004184813.tif 000006
【００３５】
式中、ｌ＋ｍ＝１、２、３、４であり、ｋは繰り返し単位であることを示す。
【００３６】
【化７】
0004184813.tif 000007
【００３７】
式中、ｌ＋ｍ＝１、２、３、４であり、ｋは繰り返し単位であることを示す。
【００３８】
【化８】
0004184813.tif 000008
【００３９】
式中、ｌ＋ｍ＝１、２、３、４であり、ｋは繰り返し単位であることを示す。
【００４０】
【化９】
0004184813.tif 000009
【００４１】
式中、ｌ＋ｍ＝１、２、３、４であり、ｋは繰り返し単位であることを示す。
【００４２】
【化１０】
0004184813.tif 000010
【００４３】
式中、ｌ＋ｍ＝１、２、３、４であり、ｋは繰り返し単位であることを示す。
【００４４】
【化１１】
0004184813.tif 000011
【００４５】
式中、ｌ＋ｍ＝１、２、３、４であり、ｋは繰り返し単位であることを示す。
【００４６】
【化１２】
0004184813.tif 000012
【００４７】
式中、ｌ＋ｍ＝１、２、３、４であり、ｋは繰り返し単位であることを示す。
【００４８】
【化１３】
0004184813.tif 000013
【００４９】
式中、ｌ＋ｍ＝１、２、３、４であり、ｋは繰り返し単位であることを示す。
【００５０】
上記フェノール系樹脂の変性反応において用いられる塩基性化合物としては、トリメチルアミン、トリエチルアミン、トリプロピルアミン、トリブチルアミン、ヘキサメチレンテトラミン、ピリジンＮ−メチルモルホリン等の３級アミン化合物類を挙げることができる。
【００５１】
上記置換基Ｒ''としては、置換基を有してもよい炭化水素基であり、例えば、炭素数２０以下の直鎖、分岐鎖または環状アルキル基、炭素数６から２０のアリール基；炭素数２から２０の直鎖、分岐鎖、環状アルケニル基；炭素数２から２０の直鎖、分岐鎖、環状アルケニル基が好ましく、更に、置換基中の炭素原子がイオウ原子、窒素原子、酸素原子、燐原子などのヘテロ原子で置き換わったヘテロ化合物類でもよい。
また、さらに置換基を有する場合、好ましい置換基としては、炭素数１２以下の炭化水素基、アルコキシ基、エステル基、アセチル基、置換アミノ基、ウレイド基、ハロゲン原子が挙げられる。
【００５２】
好ましい置換基Ｒ''の具体例としては、置換されていてもよいメチル基、エチル基、プロピル基、イソプロピル基、ブチル基、イソブチル基、ｔ−ブチル基、ｓｅｃ−ブチル基、ペンチル基、ヘキシル基、シクロペンチル基、シクロヘキシル基、オクチル基、ベンジル基、メシチル基、トルイル基、フェニル基、ナフチル基、アリル基、ビニル基等を挙げることができる。
さらに、ヘテロ環基としては、置換されていてもよいインドール環、イミダゾール環、トリアゾール環、ベンゾトリアゾール環、テトラゾール環、チアゾール環、ベンゾチアゾール環、オキサゾール環、ベンゾオキサゾール環等を挙げることができる。
【００５３】
また、予めヒドロキシル基が置換されたフェノール類と、ジメチロールウレアとの縮合反応により得られるものも、本発明のフェノール系樹脂として好適に利用できる。
予めヒドロキシル基が置換されたフェノール類としては、モノメチルカテコール、モノエチルカテコール、モノベンジルカテコール、レゾルシノールモノベンジルエステル、レゾルシノールモノアセチルエステル、レゾルシノールモノメチルエーテル、レゾルシノールモノエチルエーテル、レゾルシノールモノベンジルエーテル、レゾルシノールモノ−ｎ−ブチルエーテル、ハイドロキノンモノメチルエーテル、ハイドロキノンモノエチルエーテル、ハイドロキノン−ｎ−プロピルエーテル、ハイドロキノンモノ−ｎ−ブチルエーテル、ハイドロキノン−ｎ−ペンチルエーテル、ハイドロキノン−ｎ−ヘキシルエーテル、ハイドロキノン−ｎ−ヘプチルエーテル、ハイドロキノン−ｎ−オクチルエーテル、ピロガロール−１−モノメチルエーテル、ピロガロール−１，３−ジメチルエーテル、フロログルシノールモノメチルエーテル、フロログルシノールジメチルエーテル等が挙げられる。
【００５４】
このようにして合成されるフェノール系樹脂の中でも、一般式（Ａ）で表される構成単位を有するフェノール系樹脂が好ましく、一般式（Ａ）で表される構成単位を１０〜９０質量％含有していることが特に好ましい。一般式（Ａ）で表される構成単位が１０質量％未満の場合、耐溶剤性が不十分になる恐れがあり、９０質量％を超えると、塗工時に用いる溶剤に溶解しなくなる恐れがある。
また、高分子量になるほど耐溶剤性は向上するが、耐溶剤性が高くなりすぎると、塗工溶剤に溶解しなくなるので、一般式（Ａ）で表される構成単位を有するフェノール系樹脂の分子量は、質量平均分子量が１０００以上、より好ましくは２０００〜５００００で、数平均分子量が５００以上、より好ましくは１０００〜２００００である。
【００５５】
【化１４】
0004184813.tif 000014
【００５６】
式中、ｌ＝１、２、３、４、ｍ＝０、１、２、３、ｎ＝０、１、２、３であり、ｌ＋ｍ＋ｎ＝１、２、３、４である。ｋは繰り返し単位であることを示す。Ｒは、エーテル残基（例えば、−Ｒ''、−Ｓｉ（Ｒ''）３ ）、またはエステル残基（例えば、−ＣＯ−Ｒ''）、またはウレタン残基（例えば、−ＣＯ−ＮＨ−Ｒ''）、またはカーボネート残基（例えば、−ＣＯ２−Ｒ'' ）を表す。Ｒ’、Ｒ''は炭素数２０以下の置換されていてもよい１価の有機基を示す。
【００５７】
主鎖に尿素結合を有するフェノール系樹脂（アルカリ可溶性樹脂）の使用量は、感光性組成物の全固形分に対して、５〜９５質量％の範囲が好ましく、より好ましくは１０〜９０質量％である。上記フェノール系樹脂の使用量が、１０質量％未満では、感光性組成物からなる塗膜の現像性、耐溶剤性、耐磨耗性が不十分となる恐れがあり、使用量が９５質量％を超えると、塗膜の耐現像液性が低下する傾向にある。
【００５８】
（感光性組成物）
本発明の感光性組成物としては、例えば、（１）主鎖に尿素結合を有するフェノール系樹脂及びキノンジアジド化合物を含有するポジ型感光性組成物、（２）主鎖に尿素結合を有するフェノール系樹脂及び感光性ジアゾニウム化合物を含有するネガ型感光性組成物、（３）主鎖に尿素結合を有するフェノール系樹脂、エチレン性不飽和化合物及びラジカル重合開始剤を含有する赤外線レーザー対応（ＣＴＰ用）ネガ型感光性組成物、（４）主鎖に尿素結合を有するフェノール系樹脂及び光熱変換剤を含有する赤外線レーザー対応（ＣＴＰ用）ポジ型感光性組成物、（５）主鎖に尿素結合を有するフェノール系樹脂、酸発生剤、酸架橋剤及び光熱変換剤を含有する赤外線レーザー対応（ＣＴＰ用）ネガ型感光性組成物が挙げられる。
【００５９】
（１）ｏ−キノンジアジド化合物を含有するポジ型感光性組成物
ｏ−キノンジアジド化合物は、少なくとも１つのｏ−キノンジアジド基を有する化合物で、活性光線によりアルカリ水溶液に対する溶解性を増すものが好ましい。このようなものとしては、種々の構造のものが知られており、例えば、Ｊ．ＫＯＳＡＲ著「Ｌｉｇｈｔ−Ｓｅｎｓｉｔｉｖｅ  Ｓｙｓｔｅｍｓ」（ＪｏｈｎＷｉｌｅｙ＆Ｓｏｎｓ，Ｉｎｃ．１９６５年発行）３３６〜３５２頁に詳細に記載されている。
【００６０】
ｏ−キノンジアジド化合物としては、特に、種々のヒドロキシル化合物とｏ−ベンゾキノンジアジドあるいはｏ−ナフトキノンジアジドスルホン酸とのエステルが好適である。このようなｏ−ナフトキノンジアジド化合物は、１，２−ナフトキノンジアジド−５−スルホン酸エステル、１，２−ナフトキノンジアジド−６−スルホン酸エステル等の異性体が知られており、本発明でも好適に使用することができる。
上記のようなｏ−キノンジアジド化合物としては、例えば、１，２−ナフトキノン−２−ジアジド−５−スルホニルクロライドとフェノール・ホルムアルデヒド樹脂又はクレゾール・ホルムアルデヒド樹脂とのエステル；１，２−ナフトキノン−２−ジアジド−５−スルホニルクロライドとピロガロール・アセトン樹脂とのエステル；１，２−ナフトキノン−２−ジアジド−５−スルホニルクロライドとレゾルシン−ベンズアルデヒド樹脂とのエステル；１，２−ナフトキノン−２−ジアジド−５−スルホニルクロライドとレゾルシン−ピロガロール・アセトン共縮合樹脂とのエステル；末端にヒドロキシル基を有するポリエステルに１，２−ナフトキノン−２−ジアジド−５−スルホニルクロライドをエステル化させたもの；Ｎ−（４−ヒドロキシフェニル）メタクリルアミドのホモポリマーまたは他の共重合しうるモノマーとの共重合体に１，２−ナフトキノン−２−ジアジド−５−スルホニルクロライドをエステル化させたもの；１，２−ナフトキノン−２−ジアジド−５−スルホニルクロライドとビスフェノール・ホルムアルデヒド樹脂とのエステル；ｐ−ヒドロキシスチレンのホモポリマーまたは他の共重合しうるモノマーとの共重合体に１，２−ナフトキノン−２−ジアジド−５−スルホニルクロライドをエステル化させたもの；１，２−ナフトキノン−２−ジアジド−５−スルホニルクロライドとポリヒドロキシベンゾフェノンとのエステル等が挙げられる。
【００６１】
その他、公知のｏ−キノンジアジド化合物としては、特開昭６２−２７９３２号公報、特開平４−１５３６５６号公報、特開平１０−１９８０３０号公報、特開平１１−１４３０６６号公報、特開平１１−２４２３２５号公報、特開平１１−３０５４２９号公報等に記載されているもの等を挙げることができる。
前記したｏ−キノンジアジド化合物の含有量は、感光性組成物の全固形分に対して、通常５〜６０質量％で、より好ましくは１０〜４０質量％である。
【００６２】
ポジ型感光性組成物中には、主鎖に尿素結合を有するフェノール系樹脂以外にも、公知のアルカリ可溶性樹脂を含有させることができる。例えば、ｍ−クレゾール−ホルムアルデヒド樹脂、ｐ−クレゾール−ホルムアルデヒド樹脂、ｍ−／ｐ−混合クレゾール−ホルムアルデヒド樹脂、フェノール／クレゾール（ｍ−、ｐ−、またはｍ−／ｐ−混合のいずれでもよい）混合−ホルムアルデヒド樹脂、フェノール−ホルムアルデヒド樹脂、レゾルシン−ホルムアルデヒド樹脂の如きノボラック樹脂またはレゾール樹脂、ポリヒドロキシスチレン、特開平８−３３９０８２号公報等に記載のアクリル系樹脂、特開昭６３−１２４０４７号公報等に記載のウレタン系樹脂などを挙げることができる。
本発明の感光性組成物はこれらの公知の樹脂を併用することにより現像ラチチュードがさらに広くなる特徴を有しており、キノンジアジド化合物との組み合わせにおいてノボラック樹脂は、特に好適に用いられる。これらのアルカリ可溶性樹脂の数平均分子量は２００〜２０，０００、質量平均分子量は３００〜６０，０００であることが好ましい。
【００６３】
また、ポジ型感光性組成物中には、必要に応じて、感度を高めるための環状酸無水物、露光後直ちに可視像を得るための焼き出し剤、画像着色剤としての染料、その他のフィラーなどを加えることができる。
環状酸無水物としては、例えば、無水コハク酸、無水グルタル酸、無水イタコン酸、無水フタル酸、テトラヒドロ無水フタル酸、ヘキサヒドロ無水フタル酸、無水マレイン酸、クロル無水マレイン酸、無水ピロメリット酸等を挙げることができる。これらの環状酸無水物は、全組成物の１〜１５質量％含有させることができる。
【００６４】
露光後、直ちに可視像を得るための焼き出し剤としては、露光によって酸を放出する感光性化合物と、酸と塩を形成して色調を変える有機染料との組み合わせを挙げることができる。
露光によって酸を放出する感光性化合物としては、例えば、ｏ−ナフトキノンジアジド−４−スルホン酸ハロゲニド；トリハロメチル−２−ピロンやトリハロメチル−ｓ−トリアジン；種々のｏ−ナフトキノンジアジド化合物；２−トリハロメチル−５−アリール−１，３，４−オキサジアゾール化合物；ジアゾニウム塩等を挙げることができる。これらの化合物は、単独又は混合して使用することが出来、その添加量は、組成物全質量に対し、０．３〜１５質量％の範囲が好ましい。
【００６５】
塩を形成しうる有機染料としては、例えば、トリフェニルメタン系染料、シアニン染料、ジアゾ染料、スチリル染料などが挙げられ、具体例としては、クリスタルバイオレット、エチルバイオレット、メチルバイオレット、メチレンブルー、ビクトリア・ブルーＢＨ、ビクトリア・ピュア・ブルーＢＯＨ、マラカイトグリーン、オイルブルー＃６０３、オイルグリーンＢＧ、ブリリアントグリーン、フクシン、エオシン、ローダミンＢ、オイルピンク＃３１２、オイルレッド５Ｂ、オイルブラックＢＳ、オイルイエロー＃１０１、フェノールフタレイン、クレゾールレッド、オーラミン、ロイコクリスタルバイオレット、ロイコマラカイトグリーン等を挙げることができる。その添加量は、組成物全質量に対して０．３〜１５質量％の範囲が好ましい。
【００６６】
その他、ポジ型感光性組成物中には、画像のインキ着肉性を向上させるための、疎水基を有する各種樹脂、例えば、オクチルフェノール・ホルムアルデヒド樹脂、ｔ−ブチルフェノール・ホルムアルデヒド樹脂、ｔ−ブチルフェノール・ベンズアルデヒド樹脂、ロジン変性ノボラック樹脂、およびこれら変性ノボラック樹脂のｏ−ナフトキノンジアジドスルホン酸エステル等；塗膜の可撓性を改良するための可塑剤、例えば、フタル酸ジブチル、フタル酸ジオクチル、ブチルグリコレート、リン酸トリクレジル、アジピン酸ジオクチル等、種々の目的に応じて各種添加剤を加えることができる。これらの添加量は組成物全質量に対して、０．０１〜３０質量％の範囲が好ましい。
【００６７】
（２）感光性ジアゾニウム化合物を含有するネガ型感光性組成物
感光性ジアゾニウム化合物としては、例えば、ジアゾジアリールアミンと活性カルボニル化合物との縮合物の塩に代表されるジアゾ樹脂が挙げられる。
特に好適なジアゾ樹脂としては、例えば、４−ジアゾジフェニルアミン、４−ジアゾ−３−メチルジフェニルアミン、４−ジアゾ−４’−メチルジフェニルアミン、４−ジアゾ−３’−メチルジフェニルアミン、４−ジアゾ−４’−メトキシジフェニルアミン、４−ジアゾ−３−メチル−４’−エトキシジフェニルアミン、４−ジアゾ−３−メトキシジフェニルアミン等と、ホルムアルデヒド、パラホルムアルデヒド、アセトアルデヒド、ベンズアルデヒド、４，４’−ビス−メトキシメチルジフェニルエーテル等との縮合物の有機酸塩または無機酸塩が挙げられる。
【００６８】
ジアゾ樹脂の有機酸としては、例えば、メタンスルホン酸、ベンゼンスルホン酸、トルエンスルホン酸、キシレンスルホン酸、メシチレンスルホン酸、ドデシルベンゼンスルホン酸、ナフタレンスルホン酸、プロピルナフタレンスルホン酸、１−ナフトール−５−スルホン酸、２−ニトロベンゼンスルホン酸、３−クロロベンゼンスルホン酸、２−ヒドロキシ−４−メトキシベンゾフェノン−５−スルホン酸等が挙げられ、無機酸としては、ヘキサフルオロリン酸、テトラフルオロホウ酸、チオシアン酸等が挙げられる。
【００６９】
さらに、主鎖がポリエステル基であるジアゾ樹脂；無水カルボン酸残基を有する重合体と、ヒドロキシル基を有するジアゾ化合物とを反応してなるジアゾ樹脂；ポリイソシアネート化合物とヒドロキシル基を有するジアゾ化合物とを反応してなるジアゾ樹脂等も使用できる。
これらのジアゾ樹脂の使用量は、組成物の固形分に対して５〜４０質量％の範囲が好ましく、また必要に応じて、２種以上のジアゾ樹脂を併用してもよい。
【００７０】
ネガ型感光性組成物には、性能向上のために、公知の添加剤、例えば、染料、顔料、可塑剤、安定性向上剤等を加えることができる。
好適な染料としては、例えば、クリスタルバイオレット、マラカイグリーン、ビクトリアブルー、メチレンブルー、エチルバイオレット、ローダミンＢ等の塩基性油溶性染料などが挙げられる。市販品としては、例えば、「ビクトリアピュアブルーＢＯＨ」〔保土谷化学工業（株）製〕、「オイルブルー＃６０３」〔オリエント化学工業（株）製〕等が挙げられる。顔料としては、例えば、フタロシアニンブルー、フタロシアニングリーン、ジオキサジンバイオレット、キナクリドンレッド等が挙げられる。
【００７１】
可塑剤としては、例えば、ジエチルフタレート、ジブチルフタレート、ジオクチルフタレート、リン酸トリブチル、リン酸トリオクチル、リン酸トリクレジル、リン酸トリ（２−クロロエチル）、クエン酸トリブチル等が挙げられる。
さらに、公知の安定性向上剤として、例えば、リン酸、亜リン酸、蓚酸、酒石酸、リンゴ酸、クエン酸、ジピコリン酸、ポリアクリル酸、ベンゼンスルホン酸、トルエンスルホン酸等も併用することができる。
これら各種の添加剤の添加量は、その目的によって異なるが、通常、感光性組成物の固形分の０〜３０質量％の範囲が好ましい。
【００７２】
（３）エチレン性不飽和化合物及びラジカル重合開始剤を含有する赤外線レーザー対応（ＣＴＰ用）ネガ型感光性組成物
エチレン性不飽和化合物とは、常圧における沸点が１００℃以上で、かつ１分子中に少なくとも１個、好ましくは２個以上の付加重合可能なエチレン性不飽和基を有するモノマーまたはオリゴマーである。このようなモノマーまたはオリゴマーとしては、例えば、ポリエチレングリコールモノ（メタ）アクリレート〔以下、メタクリレートとアクリレートを総称して、（メタ）アクリレートと言う。〕、ポリプロピレングリコールモノ（メタ）アクリレート、フェノキシエチル（メタ）アクリレート等の単官能（メタ）アクリレート；ポリエチレングリコールジ（メタ）アクリレート、ポリプロピレングリコールジ（メタ）アクリレート、トリメチロールプロパントリ（メタ）アクリレート、ネオペンチルグリコールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、ヘキサンジオールジ（メタ）アクリレート、トリ（アクリロイルオキシエチル）イソシアヌレート、多価アルコール・アルキシレンオキサイド付加体の（メタ）アクリレート、多価フェノール・アルキレンオキサイド付加体の（メタ）アクリレート、ウレタンアクリレート類、ポリエステルアクリレート類、エポキシ樹脂と（メタ）アクリル酸を付加させたエポキシアクリレート類等の多官能（メタ）アクリレートを挙げることができる。
これらの付加重合可能なエチレン性不飽和基を有する化合物の使用量は、組成物の固形分に対して５〜７０質量％の範囲が好ましい。
【００７３】
ラジカル重合開始剤としては、使用する光源の波長により、特許、文献等で公知である種々の光開始剤、あるいはラジカル重合開始剤と増感色素の併用系（光開始系）を適宜選択して使用することができる。例えば４００ｎｍ付近の光を光源として用いる場合、ベンジル、ベンゾインエーテル、ミヒラーズケトン、アントラキノン、チオキサントン、アクリジン、フェナジン、ベンゾフェノン等が広く使用されている。
【００７４】
また、４００ｎｍ以上の可視光線、近赤外光のレーザーを光源とする場合には、ラジカル重合開始剤と増感色素を組み合わせた種々の光開始系が提案されている。ラジカル重合開始剤は、可視光または近赤外光エネルギーを吸収した増感色素からのエネルギーあるいは電子移動反応によって、本発明の光重合性組成物中のエチレン性不飽和二重結合を有する付加重合可能な化合物成分を重合反応に付するのに必要な活性種を生成するものであれば特に限定されない。
【００７５】
本発明で使用されるラジカル重合開始剤としては、例えば、２，２’−ビス（ｏ−クロロフェニル）−４，４’，５，５’−テトラフェニル−１，１’−ビイミダゾールや２，２’−ビス（ｏ−クロロフェニル）−４，４’，５，５’−テトラキス（２，３−ジメトキシフェニル）−１，１’−ビイミダゾール等のビスイミダゾール化合物；２，４，６−トリス（トリクロロメチル）−１，３，５−トリアジン、２−メチル−４，６−ビス（トリクロロメチル）−１，３，５−トリアジン、２−フェニル−４，６−ビス（トリクロロメチル）−１，３，５−トリアジン、２，４−ビス（トリクロロメチル）−６−（ｐ−メトキシフェニルビニル）−１，３，５−トリアジンおよび２−（４’−メトキシ−１’−ナフチル）−４，６−ビス（トリクロロメチル）−１，３，５−トリアジン等の２，４，６−置換−１，３，５−トリアジン化合物；ジフェニルヨードニウム、４，４’−ジクロロジフェニルヨードニウム、４，４’−ジメトキシジフェニルヨードニウム、４，４’−ジ−ｔ−ブチルジフェニルヨードニウム、４−メチル−４’−イソプロピルジフェニルヨードニウム、３，３’−ジニトロジフェニルヨードニウム等と、クロリド、ブロミド、テトラフルオロボレート、ヘキサフルオロホスフェート、ヘキサフルオロアルセネート、ヘキサフルオロアンチモネート、テトラキス（ペンタフルオペンタフルオロフェニル）ボレート、トリフルオロメタンスルホン酸とを組み合わせたジアリールヨードニウム塩やトリアリールスルホニウム塩等のオニウム塩化合物；チタノセンおよびフェロセン等の金属アレーン錯体；ベンジル、ベンゾイン、ベンゾインアルキルエーテル、１−ヒドロキシシクロヘキシルフェニルケトン等のベンゾインエーテル化合物；ベンジルアルキルケタール等のケタール化合物；２，２’−ジアルコキシアセトフェノン、２−ヒドロキシ−２−メチルプロピオフェノン、ｐ−ｔ−ブチルトリクロロアセトフェノン、ｐ−ｔ−ブチルシクロアセトフェノンなどのアセトフェノン化合物；ベンゾフェノン、４−クロロベンゾフェノン、４，４’−ジクロロベンゾフェノン、ｏ−ベンゾイル安息香酸メチル、３，３’−ジメチル−４−メトキシベンゾフェノン、４−ベンゾイル−４’−メチルジフェニルスルフィド、ジベンゾスベロン等のベンゾフェノン化合物；チオキサントン、２−クロロチオキサントン、２−アルキルチオキサントンおよび２，４−ジアルキルチオキサントン等のチオキサントン化合物；アントラキノン化合物；３，３’，４，４’−テトラ（ｔ−ブチルパーオキシカルボニル）ベンゾフェノン等の過酸化物；Ｎ−フェニルグリシン、Ｎ−（ｐ−クロロフェニル）グリシン、Ｎ−ヒドロキシエチル−Ｎ−フェニルグリシン、Ｎ−（２−ヒドロキシ−３−メタクリロキシプロピル）−Ｎ−フェニルグリシン等のＮ−アリールグリシン化合物等が挙げられる。本発明において、上記ラジカル重合開始剤は、任意に２種以上を組み合わせて使用してもよい。
【００７６】
増感色素は、可視光または近赤外光に吸収を有するものであり得る。このような増感色素としては、例えば、アゾ色素、アントラキノン色素、ベンゾキノン色素、ナフトキノン色素、ジアリールおよびトリアリールメタン系色素、シアニン色素、メロシアニン色素、フルオラン系色素、スクワリリウム系色素、クロコニウム系色素、ピリリウム系色素、チオピリリウム系色素、フタロシアニン誘導体、ナフタロシアニン誘導体、インジゴ系色素、クマリン色素、ケトクマリン系色素、キナクリドン系色素、キノフタロン系色素、ピロロピロール系色素、ベンゾジフラノン系色素、アクリジン系色素、オキサジン系色素、チアジン系色素、キサンテン系色素、チオキサンテン系色素、スチリル系色素、スピロピラン系色素、スピロオキサジン系色素、有機ルテニウム錯体等が挙げられる。また、前記増感色素としては、既知の刊行物：大河原信ら著「機能性色素」（１９９２年、講談社サイエンティフィク）、松岡賢著「色素の化学と応用」（１９９４年、大日本図書）および大河原信ら著「色素ハンドブック」（１９８６年、講談社）等に記載されている色素がいずれも使用できる。あるいは、本発明の光重合性組成物中では、増感色素として、対応する波長の光を吸収するように、上記増感色素または色素から選ばれる２種以上を任意に組み合わせて使用することができる。
ラジカル重合開始剤および増感色素の合計の使用量は、組成物の固形分に対して０．５〜２０質量％の範囲が好ましい。
【００７７】
また、ネガ型感光性組成物には、性能向上のために、上述の（２）ネガ型感光性組成物と同様に、公知の添加剤、例えば、染料、顔料、可塑剤、安定性向上剤等を加えることができる。
これら各種の添加剤の添加量は、その目的によって異なるが、通常、感光性組成物固形分の０〜３０質量％の範囲が好ましい。
【００７８】
上述した（２）および（３）のネガ型感光性化合物の特徴としては、感光性ジジアゾニウム化合物を使用すると感光層と支持体との接着性が良好であり、エチレン性不飽和化合物とラジカル重合開始剤の組み合わせを使用すると、露光により強靱な塗膜が得られることが挙げられる。また、感光性ジアゾニウム化合物、エチレン性不飽和化合物およびラジカル重合開始剤の組み合わせの場合には、上記２つの特徴を併せ持つ塗膜が得られる。
【００７９】
さらに、（２）および（３）のネガ型感光性組成物には、バインダー樹脂として、例えば、（メタ）アクリル酸−（メタ）アクリル酸エステル共重合体、酸価１０〜１００を有するヒドロキシアルキル（メタ）アクリレートおよび（メタ）アクリロニトリル含有共重合体、芳香族性水酸基を有する共重合体、２−ヒドロキシ−３−フェノキシプロピル（メタ）アクリレート単位を有する重合体などの共重合体；エポキシ樹脂；ポリアミド樹脂；ハロゲン化ビニル、特にポリ塩化ビニル、ポリ塩化ビニリデン；ポリ酢酸ビニル；ポリエステル；ホルマール樹脂、ブチラール樹脂等のアセタール樹脂；エスタンの商品名で米国グッドリッチ社より販売されている可溶性ポリウレタン樹脂；ポリスチレン；スチレン−無水マレイン酸共重合体またはその半エステル；繊維素誘導体；シェラック；ロジンまたはその変性体、側鎖に不飽和基を有する共重合体等を使用することができる。
【００８０】
（４）光熱変換剤を含有する赤外線レーザー対応（ＣＴＰ用）ポジ型感光性組成物
光熱変換剤とは、波長７００〜３０００ｎｍ、好ましくは７５０〜１２００ｎｍの近赤外から赤外域に光吸収域があり、光を吸収して熱を発生する物質である。このような物質としては、例えば、種々の顔料または染料が挙げられる。
本発明で使用される顔料としては、市販の顔料が利用できる。顔料の種類としては、黒色顔料、黄色顔料、オレンジ色顔料、褐色顔料、赤色顔料、紫色顔料、青色顔料、緑色顔料、蛍光顔料、その他ポリマー結合色素等が挙げられる。具体的には、不溶性アゾ顔料、アゾレーキ顔料、縮合アゾ顔料、キレートアゾ顔料、フタロシアニン系顔料、アントラキノン系顔料、ペリレン及びペリノン系顔料、チオインジゴ系顔料、キナクリドン系顔料、ジオキサジン系顔料、イソインドリノン系顔料、キノフタロン系顔料、染め付けレーキ顔料、アジン顔料、ニトロソ顔料、ニトロ顔料、天然顔料、蛍光顔料、無機顔料、カーボンブラック等が使用できる。
【００８１】
これらの中でも、特に、近赤外から赤外線領域の光を吸収して効率よく熱を発生し、しかも経済的に優れた物質として、カーボンブラックが好ましく用いられる。
これらの顔料は表面処理をせずに用いてもよく、また公知の表面処理を施して用いてもよい。公知の表面処理方法としては、樹脂やワックスを表面コートする方法、界面活性剤を付着させる方法、シランカップリング剤やエポキシ化合物、ポリイソシアネート等の反応性物質を顔料表面に結合させる方法などが挙げられる。
【００８２】
本発明で使用される顔料の粒径は、０．０１〜１５マイクロメートルの範囲にあることが好ましく、０．０１〜５マイクロメートルの範囲にあることがさらに好ましい。特に、本発明の感光性組成物に好ましく用いられるのは、グラフト重合により分散溶媒中への分散性を改良したグラフト化カーボンブラックである。
【００８３】
本発明で使用される染料としては、シアニン系染料、スクアリウム系染料、クロコニウム系染料、アズレニウム系染料、フタロシアニン系染料、ナフタロシアニン系染料、ポリメチン系染料、ナフトキノン系染料、チオピリリウム系染料、ジチオール金属錯体系染料、アントラキノン系染料、インドアニリン系染料、分子間ＣＴ染料等が挙げられる。このような染料としては、具体的には、特開２０００−３１０８５２号公報、特開２０００−１９９９５０号公報、特開２０００−１３１８３７号公報等に記載の化合物が挙げられる。
【００８４】
市販品としては、日本化薬（株）のＩＲ７５０（アントラキノン系）；ＩＲ００２、ＩＲ００３（アルミニウム系）；ＩＲ８２０（ポリメチン系）；ＩＲＧ０２２、ＩＲＧ０３３（ジインモニウム系）；ＣＹ−２、ＣＹ−４、ＣＹ−９、ＣＹ−２０；三井化学（株）のＫＩＲ１０３、ＳＩＲ１０３（フタロシアニン系）；ＫＩＲ１０１、ＳＩＲ１１４（アントラキノン系）；ＰＡ１００１、ＰＡ１００５、ＰＡ１００６、ＳＩＲ１２８（金属錯体系）；大日本インキ化学工業（株）のＦａｓｔｏｇｅｎ  ｂｌｕｅ８１２０；みどり化学（株）のＭＩＲ−１０１、１０１１、１０２１；ＡＶＥＣＩＡ社のＰｒｏ−ＪＥＴ  ８２５ＬＤＩ、Ｐｒｏ−ＪＥＴ  ８３０ＤＩ、Ｓ−１７５１３９／１、Ｓ−１７５１３９／２、Ｓ−１７５１４０／５、Ｓ−１７５１４０／６、Ｓ−１７８３７６／１、Ｓ−１８９６３２／１；ＦＥＷ社のＳ−００９４、Ｓ−０１２１、Ｓ−０２２９、Ｓ−０２５３、Ｓ−０２６０、Ｓ−０２７０、Ｓ−０３０６、Ｓ−０３２２、Ｓ−０３２５、Ｓ−０３３７、Ｓ−０３４５、Ｓ−０３７８、Ｓ−０３８９、Ｓ−０３９１、Ｓ−０４０２、Ｓ−０４４７、Ｓ−０４５０、Ｓ−０４８４、Ｓ−０４９２、Ｓ−０５８５；その他、（株）日本感光色素研究所、住友化学工業（株）、富士写真フイルム（株）から市販されているものが挙げられる。
【００８５】
光熱変換剤として、上記の顔料または染料の中から、後述する光源の特定波長を吸収し、熱に変換できうる適当な顔料または染料を適宜選択して用いることができる。光熱変換剤として顔料または染料を使用する場合、その使用量は、ポジ型感光性組成物の全固形分に対して、０．０１〜５０質量％の範囲が好ましく、０．１〜２０質量％の範囲が特に好ましい。顔料の使用量が０．０１質量％より少ない場合には、画像部の耐現像液性が低下し、使用量が５０質量％より多い場合には、非画像部（露光部）の現像性が低下する傾向にあるので好ましくない。
【００８６】
これら光熱変換剤は一般に、アルカリ可溶性樹脂を含む感光性組成物のアルカリ性水溶液への溶解性も実質的に低下させる作用を有し、未露光部へアルカリ性現像液に対する耐性を付与する。
また、アルカリ可溶性樹脂を含む感光性組成物のアルカリ性水溶液への溶解性を実質的に低下させる作用を有するその他の化合物を併用することもできる。このような化合物としては、例えば、オニウム塩、芳香族スルホン化合物、芳香族スルホン酸エステル化合物、リン酸エステル化合物、芳香族カルボン酸エステル化合物、芳香族ジスルホン化合物、芳香族ケトン化合物、芳香族アルデヒド化合物、芳香族エーテル化合物、ｏ−キノンジアジド化合物等が挙げられる。
【００８７】
赤外線レーザー対応ポジ型感光性組成物には、必要に応じて、公知の添加剤、例えば、感度を高めるための環状酸無水物、露光後直ちに可視像を得るための焼き出し剤、画像着色剤としての染料、画像のインキ着肉性を向上させるための疎水基を有する各種樹脂、塗膜の可撓性を改良するための可塑剤、塗膜の耐摩耗性を向上させるために添加する公知の樹脂等を加えることができる。
環状酸無水物としては、無水琥珀酸、無水グルタル酸、無水イタコン酸、無水フタル酸、テトラヒドロ無水フタル酸、ヘキサヒドロ無水フタル酸、無水マレイン酸、クロル無水マレイン酸、無水トリメチット酸、無水ピロメリット酸等が挙げられる。これらの添加量は、感光性組成物中好ましくは１５質量％以下である。
【００８８】
露光後、直ちに可視像を得るための焼き出し剤としては、高密度エネルギー光による露光により酸を放出する感熱性化合物と、酸と塩を形成して色調を変える有機染料との組み合わせを挙げることができる。
高密度エネルギー光による露光により酸を放出する感熱性化合物としては、例えば、公知のジアゾニウム塩、アンモニウム塩、ホスホニウム塩、スルホニウム塩、ヨードニウム塩、アルソニウム塩、オニウムボレート錯体などの各種オニウム塩化合物や、トリハロメチル基で置換したｓ−トリアジン化合物、トリハロメチル基で置換したオキサゾール化合物、その他有機ハロゲン化合物、有機金属と有機ハロゲン化合物の組み合わせなどの各種ハロゲン化合物や、ジスルホン酸化合物またはイミノスルホネート化合物など分解してスルホン酸を発生する各種化合物や、ｏ−ニトロベンジル型保護基を有する酸発生剤などを挙げることができる。また、さらに、これらの酸を発生する基や化合物をポリマーの主鎖または側鎖に導入した化合物も良好に使用することができる。また、これらの添加量は、感光性組成物中１５質量％以下である。
【００８９】
酸と塩を形成し得る有機染料としては、例えば、トリフェニルメタン系染料、シアニン染料、ジアゾ染料、スチリル染料等が挙げられる。具体例としては、クリスタルバイオレット、エチルバイオレット、メチルバイオレット、メチレンブルー、ビクトリアブルーＢＨ、ビクトリアピュアブルーＢＯＨ、オイルブルー＃６０３、マラカイトグリーン、オイルグリーンＢＧ、ブリリアントグリーン、フクシン、エオシン、ローダミンＢ、オイルピンク＃３１２、オイルレッド５Ｂ，オイルブラックＢＳ，オイルエロー＃１０１、フェノールフタレイン、クレゾールレッド、オーラミン、ロイコクリスタルバイオレット、ロイコマラカイトグリーン等を挙げることができる。その添加量は、感光性組成物中１５質量％以下である。
【００９０】
画像着色剤としての染料としては、例えば、スチルベン染料、ベンゾフェノン染料、ベンゾキノン染料、ナフトキノン染料、スクワリリウム染料、酸化染料、硫化染料、反応染料、蛍光増白染料等が挙げられる。その添加量は、ポジ型感光性組成物中１５質量％以下である。
画像のインキ着肉性を向上させるための疎水基を有する各種樹脂としては、例えば、オクチルフェノール・ホルムアルデヒド樹脂、ｔ−ブチルフェノール・ホルムアルデヒド樹脂、ｔ−ブチルフェノール・ベンズアルデヒド樹脂、ロジン変性ノボラック樹脂、およびこれら変性ノボラック樹脂のエステル類等が挙げられる。
【００９１】
塗膜の可撓性を改良するための可塑剤としては、例えば、フタル酸ジエチル、フタル酸ジオクチル、ブチルグリコレート、燐酸トリクレジル、アジピン酸ジオクチルなどが挙げられる。
塗膜の耐摩耗性を向上させるために添加する公知の樹脂として、例えばポリビニルアセタール樹脂、ポリウレタン樹脂、エポキシ樹脂、塩化ビニル樹脂、ナイロン、ポリエステル樹脂、アクリル樹脂等が挙げられる。
これら添加剤の添加量は、ポジ型感光性組成物に対して、通常はそれぞれ１５質量％以下であり、それらの合計量は４０質量％以下である。
【００９２】
（５）酸発生剤、酸架橋剤及び光熱変換剤を含有する赤外線レーザー対応（ＣＴＰ用）ネガ型感光性組成物
熱により酸を発生する化合物としては、例えば、アンモニウム塩、ホスホニウム塩、ヨードニウム塩、スルホニウム塩、セレノニウム塩等の公知のオニウム塩、有機ハロゲン化合物、ｏ−ニトロベンジル型保護機を有する光酸発生剤、ジスルホン化合物等が挙げられる。特に、高い感度が得られる点で、トリハロアルキル化合物およびジアゾニウム塩化合物が好適に用いられる。また、必要に応じて、２種以上の熱により酸を発生する化合物を併用してもよい。
【００９３】
トリハロアルキル化合物としては、例えば、米国特許第４２３９８５０号明細書に記載されているトリハロメチル−ｓ−トリアジン系化合物、米国特許第４２１２９７０号明細書に記載されているオキサジアゾール系化合物、トリブロモメチルスルホニル化合物などが挙げられる。
ジアゾニウム塩化合物としては、上述の感光性ジアゾニウム化合物を用いることができる。
【００９４】
熱により酸を発生する化合物の使用量は、ネガ型感光性組成物の固形分に対して０．０１〜５０質量％の範囲が好ましく、０．１〜２０質量％の範囲が特に好ましい。熱により酸を発生する化合物の使用量が０．０１質量％未満では、酸架橋剤で架橋するために必要な十分な酸の発生が期待できず、５０質量％を超えると、非画像部の現像液に対する溶解度が著しく低下する。
【００９５】
酸架橋剤は、熱により酸を発生する化合物から発生した酸の触媒作用によって架橋、不溶化するものであれば、特に限定はされない。
このような酸架橋剤としては、例えば、メチロール基、アルコシキメチル基、アセトキシメチル基等を少なくとも２つ有するアミノ化合物が挙げられる。具体的には、メトキシメチル化メラミン、ベンゾグアナミン誘導体、グリコールウリル誘導体等のメラミン誘導体、尿素樹脂誘導体、レゾール樹脂などが挙げられる。
【００９６】
これらの中でも、画像部・非画像部の現像液への溶解度や、コントラストが大きくなる点で、レゾール樹脂が、好適に用いられる。
酸架橋剤の使用量は、ネガ型感光性組成物の固形分に対して５〜７０質量％の範囲が好ましい。また、必要に応じて、２種以上の酸により架橋する化合物を併用してもよい。
【００９７】
光熱変換剤としては、上述の（４）赤外線レーザー対応ポジ型感光性組成物で挙げられた顔料または染料を用いることができる。
光熱変換剤の使用量は、ネガ型感光性組成物の固形分に対して３〜２０質量％の範囲が好ましい。光熱変換剤の使用量が３質量％未満では、光を吸収して熱を発生しても充分な熱量とはならず、使用量が２０質量％を超えると、発生する熱量が実質的に飽和に達して添加の効果が上がらない傾向にあるので好ましくない。
【００９８】
赤外線レーザー対応ネガ型感光性組成物には、必要に応じて、上述の（２）ネガ型感光性組成物と同様に、公知の添加剤、例えば、画像着色剤としての染料、可塑剤、安定性向上剤を加えることができる。これら各種の添加剤の添加量は、その目的によって異なるが、通常、感光性組成物の固形分の０〜３０質量％の範囲が好ましい。
【００９９】
以上説明したように、本発明の感光性組成物によれば、主鎖に尿素結合を有するフェノール系樹脂を含有しているので、耐溶剤性に優れた塗膜を得ることができる。また、塗膜が溶剤に侵されにくいことから、このような塗膜は耐磨耗性にも優れる。
【０１００】
（感光性平版印刷版）
本発明の感光性平版印刷版は、支持体と、該支持体上に設けられた、上述の感光性組成物からなる感光層とを有して概略構成される。
ここで、赤外線レーザー対応の感光性組成物からなる感光層は、光照射により発生した熱を利用することから、感熱性層と称しても構わないが、ここでは便宜上感光層と称する。
【０１０１】
支持体としては、例えば、アルミニウム、亜鉛、銅、ステンレス、鉄等の金属板；ポリエチレンテレフタレート、ポリカーボネート、ポリビニルアセタール、ポリエチレン等のプラスチックフィルム；合成樹脂を溶融塗布あるいは合成樹脂溶液を塗布した紙、プラスチックフィルムに金属層を真空蒸着、ラミネート等の技術により設けた複合材料；その他印刷版の支持体として使用されている材料が挙げられる。これらのうち、特にアルミニウムおよびアルミニウムが被覆された複合支持体の使用が好ましい。
【０１０２】
アルミニウム支持体の表面は、保水性を高め、感光層との密着性を向上させる目的で表面処理されていることが望ましい。そのような表面処理としては、例えば、ブラシ研磨法、ボール研磨法、電解エッチング、化学的エッチング、液体ホーニング、サンドブラスト等の粗面化処理、およびこれらの組み合わせが挙げられる。これらの中でも、特に電解エッチングの使用を含む粗面化処理が好ましい。
電解エッチングの際に用いられる電解浴としては、酸、アルカリまたはそれらの塩を含む水溶液あるいは有機溶剤を含む水性溶液が用いられる。これらの中でも、特に、塩酸、硝酸、またはそれらの塩を含む電解液が好ましい。
【０１０３】
さらに、粗面化処理の施されたアルミニウム支持体は、必要に応じて酸またはアルカリの水溶液にてデスマット処理される。このようにして得られたアルミニウム支持体は、陽極酸化処理されることが望ましい。特に、硫酸またはリン酸を含む浴で処理する陽極酸化処理が望ましい。
【０１０４】
また、アルミニウム支持体に、必要に応じて、ケイ酸塩処理（ケイ酸ナトリウム、ケイ酸カリウム）、フッ化ジルコニウム酸カリウム処理、ホスホモリブデート処理、アルキルチタネート処理、ポリアクリル酸処理、ポリビニルスルホン酸処理、ホスホン酸処理、フィチン酸処理、親水性有機高分子化合物と２価の金属との塩による処理、スルホン酸基を有する水溶性重合体の下塗りによる親水化処理、酸性染料による着色処理、シリケート電着等の処理を行うことができる。
【０１０５】
また、粗面化処理（砂目立て処理）および陽極酸化処理後、封孔処理が施されたアルミニウム支持体も好ましい。封孔処理は、熱水、および無機塩または有機塩を含む熱水溶液へのアルミニウム支持体の浸漬、または水蒸気浴等によって行われる。
【０１０６】
本発明の感光性平版印刷版は、感光性組成物を有機溶剤に溶解または分散させた感光性塗工液を支持体表面に塗布し、これを乾燥して支持体上に感光層を形成させることによって製造される。
感光性組成物を溶解または分散させる有機溶剤としては、公知慣用のものがいずれも使用できる。中でも、沸点４０℃〜２００℃、特に６０℃〜１６０℃の範囲のものが、乾燥の際における有利さから選択される。
【０１０７】
有機溶剤としては、例えば、メチルアルコール、エチルアルコール、ｎ−またはイソ−プロピルアルコール、ｎ−またはイソ−ブチルアルコール、ジアセトンアルコール等のアルコール類；アセトン、メチルエチルケトン、メチルプロピルケトン、メチルブチルケトン、メチルアミルケトン、メチルヘキシルケトン、ジエチルケトン、ジイソブチルケトン、シクロヘキサノン、メチルシクロヘキサノン、アセチルアセトン等のケトン類；ヘキサン、シクロヘキサン、ヘプタン、オクタン、ノナン、デカン、ベンゼン、トルエン、キシレン、メトキシベンゼン等の炭化水素類；エチルアセテート、ｎ−またはイソ−プロピルアセテート、ｎ−またはイソ−ブチルアセテート、エチルブチルアセテート、ヘキシルアセテート等の酢酸エステル類；メチレンジクロライド、エチレンジクロライド、モノクロルベンゼン等のハロゲン化物；イソプロピルエーテル、ｎ−ブチルエーテル、ジオキサン、ジメチルジオキサン、テトラヒドロフラン等のエーテル類；エチレングリコール、メチルセロソルブ、メチルセロソルブアセテート、エチルセロソルブ、ジエチルセロソルブ、セロソルブアセテート、ブチルセロソルブ、ブチルセロソルブアセテート、メトキシメトキシエタノール、ジエチレングリコールモノメチルエーテル、ジエチレングリコールジメチルエーテル、ジエチレングリコールメチルエチルエーテル、ジエチレングリコールジエチルエーテル、プロピレングリコール、プロピレングリコールモノメチルエーテル、プロピレングリコールモノメチルエーテルアセテート、プロピレングリコールモノエチルエーテル、プロピレングリコールモノエチルエーテルアセテート、プロピレングリコールモノブチルエーテル、３−メチル−３−メトキシブタノール、１−メトキシ−２−プロパノール等の多価アルコールとその誘導体；ジメチルスルホキシド、Ｎ，Ｎ−ジメチルホルムアミド、Ｎ，Ｎ−ジメチルアセトアミド
、乳酸メチル、乳酸エチル等の特殊溶剤などが挙げられる。これらは単独あるいは混合して使用される。そして、感光性塗工液中の固形分の濃度は、２〜５０質量％とするのが適当である。
【０１０８】
感光性塗工液には、塗布性を改良するための添加剤を添加してもよい。塗布性を改良するための添加剤としては、例えば、セルロースアルキルエーテル類、エチレンオキサイド系界面活性剤、弗素系界面活性剤、シリコーン系界面活性剤等が挙げられる。
弗素系界面活性剤の具体例としては、パーフルオロアルキル基含有カルボン酸塩、パーフルオロアルキル基含有スルホン酸塩、パーフルオロアルキル基含有硫酸エステル塩、パーフルオロアルキル基含有燐酸塩等のアニオン性弗素系界面活性剤；パーフルオロアルキル基含有アミン塩、パーフルオロアルキル基含有４級アンモニウム塩等のカチオン性弗素系界面活性剤；パーフルオロアルキル基含有カルボキシベタイン、パーフルオロアルキル基含有アミノカルボン酸塩等の両性弗素系界面活性剤；その他、パーフルオロアルキル基含有オリゴマー、パーフルオロアルキル基含有ポリマー、パーフルオロアルキル基含有スルホンアミドポリエチレングリコール付加物等が挙げられる。
【０１０９】
感光性塗工液の塗布方法としては、例えば、ロールコーティング、ディップコーティング、エアナイフコーティング、グラビアコーティング、グラビアオフセットコーティング、ホッパーコーティング、ブレードコーティング、ワイヤドクターコーティング、スプレーコーティング等の方法が用いられる。塗工液の塗布量は、１０ｍｌ／ｍ２ 〜１００ｍｌ／ｍ２ の範囲が好適である。
【０１１０】
支持体上に塗布された感光性組成物の乾燥は、通常、加熱された空気によって行われる。加熱は３０℃〜２００℃、特に、４０℃〜１４０℃の範囲が好適である。乾燥の温度は乾燥中一定に保たれる方法だけでなく段階的に上昇させる方法も実施し得る。
また、乾燥風は除湿することによって好ましい結果が得られる場合もある。加熱された空気は、塗布面に対し０．１ｍ／秒〜３０ｍ／秒、特に０．５ｍ／秒〜２０ｍ／秒の割合で供給するのが好適である。
感光性組成物の塗布量は、乾燥質量で通常、約０．５〜約５ｇ／ｍ２ の範囲である。
【０１１１】
（平版印刷版の作製方法）
上述の（１）〜（３）の感光性組成物からなる感光層を有する感光性平版印刷版は、銀塩マスクフィルムを密着させた状態で感光層を露光した後、現像液で現像して、非画像部を溶解、除去することによって、支持体上に対応する画像が形成された平版印刷版となる。
露光に使用される適当な光源としては、例えば、カーボンアーク灯、水銀灯、メタルハライド灯、キセノン灯、ケミカルランプ、レーザー等が挙げられる。
【０１１２】
また、上述の（３）〜（５）の感光性組成物からなる感光層を有する感光性平版印刷版は、コンピュータ等からのデジタル画像情報を基に、レーザーを使用して直接版上に画像書き込みができる、いわゆるコンピュータ・トゥ・プレート（ＣＴＰ）版として使用できる。
本発明で用いられるレーザーの光源としては、波長３００ｎｍ〜３０００ｎｍの紫外光、可視光、赤外光領域の光を発するレーザーが挙げられる。具体的には、Ａｒ−イオンレーザー（４８８ｎｍ、５１５ｎｍ）、ＦＤ−ＹＡＧレーザー（５３２ｎｍ）、Ｈｅ−Ｎｅレーザー（６３３ｎｍ、５４３ｎｍ、３６４ｎｍ）、ＩｎＧａＮ半導体レーザー（３６０〜４５０ｎｍ、特に４０５ｎｍ）、発振波長が７６０ｎｍから９５０ｎｍまでの各種半導体レーザー、ＹＡＧレーザー（発振波長；１０６４ｎｍ）等が挙げられる。いずれのレーザーも、光源の特定波長を吸収し、熱に変換できうる適当な顔料または染料、あるいは増感色素を前述した中から選び、感光性組成物に添加しておくことにより使用できる。
【０１１３】
（３）〜（５）の感光性組成物からなる感光層を有する感光性平版印刷版は、感光層にレーザー光を用いて画像を書き込んだ後、これを現像処理して非画像部が湿式法により除去されることによって、画像部が形成された平版印刷版となる。現像処理に使用される現像液としては、アルカリ性水溶液（塩基性の水溶液）などが挙げられる。
【０１１４】
現像液に用いられるアルカリ剤としては、例えば、ケイ酸ナトリウム、ケイ酸カリウム、水酸化カリウム、水酸化ナトリウム、水酸化リチウム、第二又は第三リン酸のナトリウム、カリウム又はアンモニウム塩、メタケイ酸ナトリウム、炭酸ナトリウム、アンモニア等の無機のアルカリ化合物；モノメチルアミン、ジメチルアミン、トリメチルアミン、モノエチルアミン、ジエチルアミン、トリエチルアミン、モノイソプロピルアミン、ジイソプロピルアミン、ｎ−ブチルアミン、ジ−ｎ−ブチルアミン、モノエタノールアミン、ジエタノールアミン、トリエタノールアミン、エチレンイミン、エチレンジアミン等の有機のアルカリ化合物が挙げられる。
【０１１５】
現像液中のアルカリ剤の含有量は、０．００５〜３０質量％の範囲が好ましく、０．０５〜１５質量％の範囲が特に好ましい。現像液中のアルカリ剤の含有量が０．００５質量％より少ない場合、現像が不良となる傾向にあり、また、３０質量％より多い場合、現像時に画像部を浸食する等の悪影響を及ぼす傾向にあるので好ましくない。
【０１１６】
現像液には有機溶剤を添加することもできる。現像液に添加することができる有機溶剤としては、例えば、酢酸エチル、酢酸ブチル、酢酸アミル、酢酸ベンジル、エチレングリコールモノブチルアセテート、乳酸ブチル、レブリン酸ブチル、メチルエチルケトン、エチルブチルケトン、メチルイソブチルケトン、シクロヘキサノン、エチレングリコールモノブチルエーテル、エチレングリコールモノベンジルエーテル、エチレングリコールモノフェニルエーテル、ベンジルアルコール、メチルフェニルカルビトール、ｎ−アミルアルコール、メチルアミルアルコール、キシレン、メチレンジクロライド、エチレンジクロライド、モノクロロベンゼン、などが挙げられる。
現像液に有機溶剤を添加する場合の有機溶剤の添加量は、２０質量％以下が好ましく、１０質量％以下が特に好ましい。
【０１１７】
さらにまた、上記現像液中には必要に応じて、亜硫酸リチウム、亜硫酸ナトリウム、亜硫酸カリウム、亜硫酸マグネシウム等の水溶性亜硫酸塩；アルカリ可溶性ピラゾロン化合物、アルカリ可溶性チオール化合物、メチルレゾルシン等のヒドロキシ芳香族化合物；ポリリン酸塩、アミノポリカルボン酸類等の硬水軟化剤；イソプロピルナフタレンスルホン酸ナトリウム、ｎ−ブチルナフタレンスルホン酸ナトリウム、Ｎ−メチル−Ｎ−ペンタデシルアミノ酢酸ナトリウム、ラウリルサルフェートナトリウム塩等のアニオン性界面活性剤やノニオン性界面活性剤、カチオン性界面活性剤、両性界面活性剤、フッ素系界面活性剤等の各種界面活性剤や各種消泡剤を用いることができる。
【０１１８】
現像液としては、実用上は、市販されているポジ型ＰＳ版用またはネガ型ＰＳ版用の現像液を用いることができる。具体的には、市販されている濃縮型のポジ型ＰＳ版用、あるいはネガ型ＰＳ版用の現像液を１〜２００倍に希釈した希釈液を、本発明における現像液として使用することができる。
【０１１９】
現像液の温度は、１５〜４０℃の範囲が好ましく、浸漬時間は１秒〜５分の範囲が好ましい。必要に応じて、現像中に軽く表面を擦ることもできる。
現像を終えた平版印刷版は、水洗および／または水系の不感脂化剤（フィニッシングガム）による処理が施される。水系の不感脂化剤としては、例えば、アラビアゴム、デキストリン、カルボキシメチルセルロースの如き水溶性天然高分子；ポリビニルアルコール、ポリビニルピロリドン、ポリアクリル酸の如き水溶性合成高分子、などの水溶液が挙げられる。必要に応じて、これらの水系の不感脂化剤に、酸や界面活性剤等が加えられる。不感脂化剤による処理が施された後、平版印刷版は乾燥され、印刷刷版として印刷に使用される。
【０１２０】
得られた平版印刷版の耐刷性の向上を目的として、平版印刷版にバーニング処理を施すこともできる。バーニング処理は、まず、（ｉ）前述の処理方法によって得られた平版印刷版を水洗し、リンス液やガム液を除去したのちスキージし、（ii）次いで、整面液を版全体にムラなく引き伸ばし、乾燥させ、(iii）オーブンで１８０℃〜３００℃の温度条件下、１分〜３０分間バーニングを行い、(iv)版が冷めた後、整面液を水洗により除去し、ガム引きして乾燥する、という工程により実施される。
【０１２１】
整面液は、バーニング処理後に地汚れが発生しないように、バーニング処理を施す前に処理する水溶液として専ら用いられるものであり、その主たる組成として、各種界面活性剤、特に好ましくはアニオン性界面活性剤および／またはフッソ系界面活性剤を０．００５〜３０質量％、および、ｐＨを２〜１１、好ましくは３〜１０の範囲に保つために各種の酸、アルカリあるいは塩類が添加される。アニオン性界面活性剤としては、例えば、アルキルベンゼンスルフォン酸塩、アルキルジフェニルエーテルジスルフォン酸塩、アルキルナフタレンスルフォン酸塩、アルキルナフタレンスルフォン酸のアルデヒド縮合物、αーオレフィンスルホネート、アルキルスルホネート等のスルフォン酸基含有活性剤、ラウリル硫酸エステル、ポリオキシエチレンアルキルエーテル硫酸塩、ポリオキシエチレンアルキルフェニルエーテル硫酸塩等の硫酸エステル系活性剤等が挙げられる。またフッ素系界面活性剤としては、パーフルオロアルキル基含有カルボン酸塩、パーフルオロアルキル基含有スルホン酸塩、パーフルオロアルキル基含有硫酸エステル塩、パーフルオロアルキル基含有燐酸塩等のアニオン性フッ素系界面活性剤、パーフルオロアルキル基含有アミン塩、パーフルオロアルキル基含有４級アンモニウム塩等のカチオン性フッ素系界面活性剤、パーフルオロアルキル基含有カルボキシベタイン、パーフルオロアルキル基含有アミノカルボン酸塩等の両性フッ素系界面活性剤、パーフルオロアルキル基含有オリゴマー、パーフルオロアルキル基含有ポリマー、パーフルオロアルキル基含有スルホンアミドポリエチレングリコール付加物等のノニオン性フッ素系界面活性剤等が挙げられる。また、酸としては、硝酸、硫酸、燐酸のような鉱酸、クエン酸、琥珀酸、シュウ酸、酒石酸、酢酸、林檎酸、フィチン酸、有機ホスホン酸、ｐ−トルエンスルホン酸、キシレンスルホン酸等が挙げられる。また、これら酸のカリウム塩、リチウム塩、ナトリウム塩、アンモニウム塩、あるいはアルカリ金属の水酸化物、炭酸塩、炭酸水素塩等も挙げられる。
【０１２２】
さらに、整面液には、天然物または天然物の変性体または合成高分子重合体であって、皮膜形成能を有する高分子化合物も、全質量に対して０．０００１質量％〜３質量％添加することができる。また、防腐剤、消泡剤、着色剤等も添加することができる。
【０１２３】
このような感光性平版印刷版にあっては、感光層を形成している感光性組成物中に、主鎖に尿素結合を有するフェノール系樹脂が含まれているので、耐溶剤性、特にＵＶインキ印刷時に使用されるＵＶインキ洗い油に対する耐性に優れ、かつ耐刷性に優れる。また、バーニング適正も良好である。
なお、本発明の感光性組成物は、平版印刷版以外にも、フォトレジスト等の様々な用途に使用することができる。
【０１２４】
【実施例】
以下、実施例を用いて本発明をさらに詳細に説明するが、本発明はこれらの実施例に限定されるものではない。
【０１２５】
〈主鎖に尿素結合を有するフェノール系樹脂〉
［合成例１］
攪拌機および加熱装置付きの２００ｍｌフラスコ中に、メタノール３０ｇと、Ｎ，Ｎ−ジメチルアセトアミド５ｇを投入した。次いで、カテコール１３．８７ｇ（０．１２６モル）と、Ｎ，Ｎ´−ジメチロールウレア１３．７６ｇ（０．１１５モル）を添加した。これを室温で攪拌しながら濃塩酸６ｇ（１２規定）を加えた後、加熱を開始し５５℃に達したら、そのまま温度を保ち、５５−６０℃で５時間反応させた。
反応終了後の反応溶液の粘度は、ガードナー粘度でＣであった。この反応溶液を４００ｍｌの水中に攪拌しながら注ぐと、淡黄色の固形物が析出した。これを濾別後乾燥して、樹脂２０ｇを得た。また、この際の収率は７２％であった。
【０１２６】
［合成例２］
カテコール１３．８７ｇ（０．１２６モル）の代わりに、３−メチルカテコール１５．６４ｇ（０．１２６モル）を使用した以外は、合成例１と同様の方法で、樹脂２５ｇを得た。また、この際の収率は８５％であった。
【０１２７】
［合成例３］
カテコール１３．８７ｇ（０．１２６モル）の代わりに、４−メチルカテコール１５．６４ｇ（０．１２６モル）を使用した以外は、合成例１と同様の方法で、樹脂２３ｇを得た。また、この際の収率は７８％であった。
【０１２８】
［合成例４］
カテコール１３．８７ｇ（０．１２６モル）の代わりに、３−メトキシカテコール１５．６４ｇ（０．１２６モル）を使用した以外は、合成例１と同様の方法で、樹脂２２ｇを得た。また、この際の収率は７５％であった。
【０１２９】
［合成例５］
攪拌機および加熱装置付きの５００ｍｌフラスコ中に、メタノール１５０ｇと、水１５ｇを投入した。次いで、ピロガロール６３．０５ｇ（０．５０モル）及びＮ，Ｎ´−ジメチロールウレア５０．０ｇ（０．４５モル）を添加し、攪拌溶解した。これに濃塩酸７．０ｇ（１２規定）を添加した後、加熱を開始し５５℃に達したら、そのまま温度を保ち、５５−６０℃で７時間反応させた。
反応終了後の反応溶液を１０００ｍｌの水中に攪拌しながら注ぎ、析出した固形物を濾別乾燥して、樹脂８９ｇを得た。また、この際の収率は７９％であった。
【０１３０】
［合成例６］
攪拌機、シリカゲル乾燥管及び加熱装置付きの２００ｍｌフラスコ中に、乾燥したＮ，Ｎ−ジメチルアセトアミド１００ｍｌを投入した。次いで、合成例１で合成した樹脂５．０ｇを加えて、室温にて攪拌溶解した。これにフェニルイソシアナート５．０ｇ（カテコールの水酸基２個に対して１．７モル当量）を加え、更に、３滴のジ−ｎ−ブチル錫ジラウレートと３滴のトリエチルアミンを加え、５０℃にて２時間反応させた。
反応終了後の反応溶液を１０００ｍｌの水中に攪拌しながら注ぎ、析出した固形物を濾別乾燥して、樹脂８．０ｇを得た。また、この際の収率は８０％であった。
【０１３１】
［合成例７］
攪拌機及びシリカゲル乾燥管付きの２００ｍｌフラスコ中に、乾燥したＮ，Ｎ−ジメチルアセトアミド１００ｍｌを投入した。次いで、合成例１で合成した樹脂５．０ｇを加えて、室温にて攪拌溶解した。これにｐ−トルエンスルホニルクロリド２．５ｇ（カテコールの水酸基２個に対して１．０モル当量）を加え、更に、トリエチルアミン２．０ｇを加えて、一昼夜室温にて攪拌反応させた。
反応終了後の反応溶液を１０００ｍｌの水中に攪拌しながら注ぎ、数滴の６５％硫酸水溶液を加えて酸性とした。この反応溶液から析出した固形物を濾別乾燥して、樹脂６．０ｇを得た。また、この際の収率は８０％であった。
【０１３２】
［合成例８］
ｐ−トルエンスルホニルクロリドの添加量を４．０ｇ（カテコールの水酸基２個に対して１．６モル当量）、トリエチルアミンの添加量を３．０ｇとする以外は、合成例７と同様の方法で、樹脂７．０ｇを得た。また、この際の収率は７８％であった。
【０１３３】
［合成例９］
攪拌機及びシリカゲル乾燥管付きの２００ｍｌフラスコ中に、乾燥したＮ，Ｎ−ジメチルアセトアミド１００ｍｌを投入した。次いで、合成例５で合成した樹脂３．０ｇを加えて、室温にて攪拌溶解した。これにｐ−トルエンスルホニルクロリド６．０ｇ（ピロガロールの水酸基３個に対して２．２モル当量）を加え、更に、トリエチルアミン４．６ｇを加えて、一昼夜室温にて攪拌反応させた。
反応終了後の反応溶液を１０００ｍｌの水中に攪拌しながら注ぎ、数滴の６５％硫酸水溶液を加えて酸性とした。この反応溶液から析出した固形物を濾別乾燥して、樹脂７．０ｇを得た。また、この際の収率は８７％であった。
【０１３４】
［合成例１０］
ｐ−トルエンスルホニルクロリドの添加量を８．２ｇ（ピロガロールの水酸基３個に対して３．０モル当量）、トリエチルアミンの添加量を６．８ｇとする以外は、合成例９と同様の方法で、樹脂７．２ｇを得た。また、この際の収率は７５％であった。
【０１３５】
［合成例１１］
攪拌機及びシリカゲル乾燥管付きの２００ｍｌフラスコ中に、乾燥したＮ，Ｎ−ジメチルアセトアミド１５０ｍｌを投入した。次いで、合成例５で合成した樹脂１２．２ｇを加えて、室温にて攪拌溶解した。これに３−ニトロベンジルクロリド５．０ｇ（ピロガロールの水酸基３個に対して１．５モル当量）を加え、更に、トリエチルアミン３．５ｇを加えて、一昼夜室温にて攪拌反応させた。
反応終了後の反応溶液を１０００ｍｌの水中に攪拌しながら注ぎ、数滴の６５％硫酸水溶液を加えて酸性とした。この反応溶液から析出した固形物を濾別乾燥して、樹脂１２．０ｇを得た。また、この際の収率は７３％であった。
【０１３６】
［合成例１２］
攪拌機及びシリカゲル乾燥管付きの２００ｍｌフラスコ中に、乾燥したＮ，Ｎ−ジメチルアセトアミド１５０ｍｌを投入した。次いで、合成例５で合成した樹脂５．０ｇを加えて、室温にて攪拌溶解した。これにｐ−トルオイルクロリド１．８５ｇ（ピロガロールの水酸基３個に対して１．５モル当量）を加え、更に、トリエチルアミン１．５ｇを加えて、一昼夜室温にて攪拌反応させた。
反応終了後の反応溶液を１０００ｍｌの水中に攪拌しながら注ぎ、数滴の６５％硫酸水溶液を加えて酸性とした。この反応溶液から析出した固形物を濾別乾燥して、樹脂４．３ｇを得た。また、この際の収率は５５％であった。
【０１３７】
〈比較例用ノボラック樹脂〉
［合成例１３］
攪拌機、加熱装置及びコンデンサー付きの５００ｍｌフラスコ中に、ｍ−クレゾール１００ｇ、ｐ−クレゾール６６．８ｇ、フェノール３６．０ｇ、３７％ホルムアルデヒド水溶液１０５．０ｇ、及びシュウ酸２．５ｇを攪拌しながら投入した。次いで、これを加熱して１０５℃で３時間攪拌した後、１７５℃まで昇温して水を除去し、更に２００℃／１００ｍｍＨｇで残留モノマーを留去した。以上の製法により合成されたノボラック樹脂の質量平均分子量は４０００であった。
【０１３８】
〈支持体−１の製造〉
厚さ０．２４ｍｍのアルミニウム板を水酸化ナトリウム水溶液で脱脂し、これを２０％塩酸浴中で電解研磨処理して、中心線平均粗さ（Ｒａ）０．５μｍの砂目板を得た。
この砂目板を２０％硫酸浴中電流密度２Ａ／ｄｍ２ で陽極酸化処理して、２．７ｇ／ｍ２ の酸化被膜を形成し、珪酸ソーダ水溶液で封孔処理後、水洗、乾燥して親水性アルミニウム支持体（支持体−１）を得た。
【０１３９】
〈支持体−２の製造〉
珪酸ソーダ水溶液で封孔処理を行わない以外は、支持体−１の製造方法と同様の方法で、親水性アルミニウム支持体（支持体−２）を得た。
【０１４０】
（実施例１）
支持体−１上に、表１に示す組成のネガ型ＰＳ版用の感光性塗工液をロッド番号１２番のバーコーターにより塗工し、１００℃にて３分間乾燥して、ネガ型平版印刷版を製造した。また、このときの塗布質量は、２．０±０．２ｇ／ｍ２ であった。
【０１４１】
【表１】
0004184813.tif 000015
【０１４２】
（比較例１）
実施例１で使用されたネガ型ＰＳ版用の感光性塗工液において、［合成例９］で得られたフェノール系樹脂の代わりに、［合成例１３］で得られたノボラック樹脂５０．０ｇを使用した以外は実施例１と同様の方法で、ネガ型平版印刷版を製造した。また、このときの塗布質量は、２．０±０．２ｇ／ｍ２ であった。
【０１４３】
実施例１及び比較例１で得られたネガ型平版印刷版に、露光機（「Ｐ−８２４−ＧＸ」、大日本スクリーン製造（株）製）を用いて、１ｍの距離から３ｋＷメタルハライドランプを使用して、３５ｕｎｉｔの露光条件で露光した。
次いで、自動現像機（「ＰＤ−９１２Ｍ」、大日本スクリーン製造（株）製）、現像液ＮＤ−１、１容量部に対して水２容量部で希釈した現像液を用いて、３０℃、２０秒間現像処理し印刷版を得た。
【０１４４】
ネガ型平版印刷版のＵＶインキ用洗い油耐性を観察するために、洗油Ａ（「ダイキュア洗油Ａ」、大日本インキ化学工業（株）製）およびロール洗油（「ダイキュアローラー洗油」、大日本インキ化学工業（株）製）の中に、上記のようにして得られた印刷版を３０分間室温で浸漬し、浸食の有無を調べた。
また、耐刷性については、印刷版を印刷機（「Ｒ−７００」、マンローランド社製）に取り付け、ＵＶインキ（「ダイキュアーセプター墨」、（大日本インキ化学工業（株）製）、湿し水（「ＮＡ−１０８Ｗ」、（大日本インキ化学工業（株）製）を水で１００倍に希釈した希釈液）を用いて印刷を行い、適正な印刷物が得られる最終印刷枚数から判定した。なお、この印刷テストは、５０００枚毎に印刷機を止めて、洗油Ａにてローラーを洗浄する方式で行った。以上の印刷版感度、洗い油耐性および耐刷性の結果を表２に示す。
【０１４５】
【表２】
0004184813.tif 000016
なお、表中の項目ステップとは、クリヤー／ベタ段数を示す。マイクロラインとは、印刷版上に再現される細線の幅であり、その最小線幅（μｍ）を読みとった。また、洗油耐性の評価基準は以下の通りである。
○：良好に使用可能である。
×：浸食があり、使用不可である。
【０１４６】
表２から明らかなように、実施例１から得られた印刷版は、１０万枚を刷了することができるが、比較例１から得られた印刷版では、１回目の洗油Ａによる洗浄後、浸食がみられ印刷が不可能であった。
【０１４７】
（実施例２）
支持体−２上に、表３に示す組成のポジ型ＰＳ版用の感光性塗工液をロッド番号１２番のバーコーターにより塗工し、１００℃にて３分間乾燥して、ポジ型平版印刷版を製造した。また、このときの塗布質量は、２．０±０．２ｇ／ｍ２ であった。
【０１４８】
【表３】
0004184813.tif 000017
【０１４９】
（実施例３）
実施例２で使用されたポジ型ＰＳ版用の感光性塗工液において、［合成例１］で得られたフェノール系樹脂の代わりに、［合成例６］で得られたフェノール系樹脂０．７５ｇを使用した以外は実施例２と同様の方法で、ポジ型平版印刷版を製造した。また、このときの塗布質量は、２．０±０．２ｇ／ｍ２ であった。
【０１５０】
（実施例４）
実施例２で使用されたポジ型ＰＳ版用の感光性塗工液において、［合成例１］で得られたフェノール系樹脂の代わりに、［合成例８］で得られたフェノール系樹脂０．７５ｇを使用した以外は実施例２と同様の方法で、ポジ型平版印刷版を製造した。また、このときの塗布質量は、２．０±０．２ｇ／ｍ２ であった。
【０１５１】
（比較例２）
実施例２で使用されたポジ型ＰＳ版用の感光性塗工液において、［合成例１］で得られたフェノール系樹脂の代わりに、［合成例１３］で得られたノボラック樹脂０．７５ｇを使用した以外は実施例２と同様の方法で、ポジ型平版印刷版を製造した。また、このときの塗布質量は、２．０±０．２ｇ／ｍ２ であった。
【０１５２】
実施例２〜４及び比較例２で得られたポジ型平版印刷版に、露光機（「Ｐ−８２４−ＧＸ」、大日本スクリーン製造（株）製）を用いて、１ｍの距離から３ｋＷメタルハライドランプを使用して、２９ｕｎｉｔの露光条件で露光した。
次いで、現像液ＰＤ−１（コダックポリクロームグラフィックス社製）の希釈度を変えた現像液を用意し、手現像にて３０℃、２０秒間現像処理し印刷版を得た。
【０１５３】
ポジ型平版印刷版の洗い油耐性については、上述したネガ型平版印刷版の洗い油耐性を調べる方法と同様に行った。
また、耐刷性については、印刷版を印刷機（「Ｒ−７００」、マンローランド社製）に取り付け、ＵＶインキ（「ダイキュアーセプター墨」、（大日本インキ化学工業（株）製）、湿し水（「ＮＡ−１０８Ｗ」（大日本インキ化学工業（株）製）を水で１００倍に希釈した希釈液）を用いて印刷を行い、適正な印刷物が得られる最終印刷枚数から判定した。なお、この印刷テストは、５０００枚毎に印刷機を止めて、洗油Ａにてローラーを洗浄する方式で行った。以上の印刷版感度、洗い油耐性および耐刷性の結果を表４に示す。
【０１５４】
【表４】
0004184813.tif 000018
【０１５５】
表中の項目ステップとは、クリヤー／ベタ段数を示す。表中の現像液の希釈度１／８は、原液１容量部を水により８容量部に希釈したことを示す。他の事例も同様の希釈度を意味する。また、洗い油耐性の評価基準は以下の通りである。
○：良好に使用可能である。
×：浸食があり、使用不可である。
【０１５６】
表４から明らかなように、実施例２〜４から得られた印刷版は、良好な感光特性を持つと同時に、洗油に対しての耐性があり、ＵＶインキを使用した印刷テストでも良好な結果を出した。
一方、比較例２から得られた印刷版は、洗油耐性および耐刷性において、不十分なものであった。
【０１５７】
実施例２〜４および比較例２で得られた平版印刷版を水洗し、版面に整面液（ＵＴ１、コダックポリクロームグラフィックス社製）を塗布した後、バーニングオーブン（ＳＰＢＯ−１型、光陽化学社製）中で、２４０℃で５分間バーニング処理した。バーニング処理後の平版印刷版を水洗し、版面にガムを塗布した。得られた平版印刷版を印刷機（ＳＰＲＩＮＴ２６、株式会社小森製）に装着し、インキ（ＧＥＯＳ−Ｇ紅Ｎ、大日本インキ化学工業（株）製、湿し水（ＮＡ−１０８Ｗ（大日本インキ化学工業（株）製）を水で５０倍に希釈した希釈液）、用紙（ロイヤルコート、王子製紙社製）を用いて印刷を行った。耐刷性を評価し、バーニング汚れの有無を観察した。結果を表５に示す。
【０１５８】
【表５】
0004184813.tif 000019
【０１５９】
表５から明らかなように、バーニング処理を施した本発明の平版印刷版（実施例２〜４）は、バーニング汚れを起こすことなく、耐刷性も向上した。一方、比較例２の平版印刷版では、耐刷性は向上したものの、バーニング汚れが発生し、実用的ではなかった。
【０１６０】
（実施例５）
１００ｍｌのフラスコ中に、メチルセロソルブ３０ｇと、［合成例１０］で得られたフェノール系樹脂２．０ｇを添加して、室温にて１時間攪拌して完全に溶解した。
次いで、レゾール樹脂（「ＧＰレジン」、ジョージアパシフィック社製）４．０ｇ、ジアゾＭＳＰＦ６（コダックケミカル社製）０．２８ｇ、赤外線色素トランプダイ（下記構造式）（コダックケミカル社製）０．２８ｇ、染料（ビクトリアピュアブルーＢＯＨ（保土谷化学（株）製）の対イオンを１−ナフタレンスルホン酸アニオンにした染料）０．１ｇを添加し、３０分間室温にて攪拌した後、界面活性剤（「ＤＣ１９０」、ダウコーニング社製）５滴を添加し、更に３０分間室温にて攪拌した。この混合溶液を１０ミクロンのフィルターに通して感光性塗工液とした。
この感光性塗工液を支持体−２上に、ロッド番号１２番のバーコーターにより塗工し、１１０℃にて４０秒間乾燥して、ネガ型感光性平版印刷版を製造した。また、このときの塗布質量は、２．０±０．２ｇ／ｍ２ であった。
【０１６１】
【化１５】
0004184813.tif 000020
【０１６２】
（比較例３）
実施例５で使用された感光性塗工液において、［合成例１０］  で得られたフェノール系樹脂の代わりに、［合成例１３］で得られたノボラック樹脂２．０ｇを使用した以外は実施例５と同様の方法で、ネガ型平版印刷版を製造した。また、このときの塗布質量は、２．０±０．２ｇ／ｍ２ であった。
【０１６３】
実施例５で得られたネガ型平版印刷版に、近赤外線半導体レーザーを搭載したＣｒｅｏセッター３２４４（波長８３０ｎｍ、レーザーパワー８．５Ｗ、回転数１５００ｒｐｍ）（Ｃｒｅｏ社製）にて、全面ベタ画像の書き込みを行った。これをプレヒートオーブン（「ＳＰＣ  ＭＩＮＩ−ＨＤ−４８／１２２」、コダックポリクロームグラフィックス社製）により、２６４°Ｆ、１００秒間加熱処理を施した。次いで、水で２倍に希釈したＮＤ１現像液（コダックポリクロームグラフィックス社製）で、３０℃、３０秒間処理して印刷版を得た。
一方、比較例３から得られたネガ型平版印刷版は、実施例５で得られたネガ型平版印刷版と同様に、近赤外線半導体レーザーを搭載したＣｒｅｏセッター３２４４（波長８３０ｎｍ、レーザーパワー８．５Ｗ、回転数１５００ｒｐｍ）（Ｃｒｅｏ社製）にて、全面ベタ画像の書き込みを行い、これをプレヒートオーブン（「ＳＰＣ  ＭＩＮＩ−ＨＤ−４８／１２２」、コダックポリクロームグラフィックス社製）により、２６４°Ｆ、１００秒間加熱処理を施した。
そして、水で５倍に希釈したＰＤ１現像液（コダックポリクロームグラフィックス社製）を用いて、３０℃、２０秒間処理して印刷版を得た。
【０１６４】
上記のようにして得られた各印刷版を印刷に用いられる湿し水（「ＮＡ−１０８Ｗ」、大日本インキ化学工業（株）製）の１００倍希釈液に１０％のイソプロピルアルコールを添加した溶液、及び５０％のイソプロピルアルコール水溶液に室温下で３０分間浸漬して、湿し水及び耐溶剤性の評価を行った。その結果を表６に示す。
【０１６５】
また、実施例５および比較例３から得られたネガ型平版印刷版について、上記のようにして、画像の書き込み、加熱処理を行い、上述した各々の条件で現像処理をした後、ガム引きをして印刷用の刷版とした。この各刷版を印刷機（「Ｒ−７００印刷機」、マンローランド社製）に取り付け、インキ（「ＧＥＯＳ−Ｇ  紅  Ｎ」、大日本インキ化学工業（株）製）、湿し水（「ＮＡ−１０８Ｗ」、大日本インキ化学工業（株）製）を水で１００倍に希釈した希釈液）に、１０％のイソプロピルアルコールを添加した湿し水を用いて印刷を行い、各刷版の耐刷性、適正な印刷物が得られる最終印刷枚数から判定した。この結果を表６に示す。
【０１６６】
【表６】
0004184813.tif 000021
【０１６７】
表中の網点１−９９は、網点質が１％から９９％まで問題なく良好に認められることを示す。また、表中の湿し水耐性の評価基準は以下の通りである。
○：版材に何らの変化も認められず、良好である。
△：版材が多少侵されているが、使用には差し支えない。
×：版材が溶剤に侵されて、使用不可。
【０１６８】
表６から明らかなように、実施例５から得られたネガ型平版印刷版は、画像性能が良好で、湿し水耐性や、溶剤として用いられるイソプロピルアルコール耐性、及び印刷においての耐刷性にも、比較例３から得られたネガ型平版印刷版に比べ、非常に優れている。
【０１６９】
（実施例６）
１００ｍｌのフラスコ中に、メチルセロソルブ３０ｇと、［合成例１］で得られたフェノール系樹脂２．０ｇを添加して、室温にて１時間攪拌して完全に溶解させた。
次いで、赤外線色素トランプダイ（コダックケミカル社製）と、２滴の界面活性剤（「ＤＣ１９０」、ダウコーニング社製）を添加し、更に３０分間室温にて攪拌した。この混合溶液を１０ミクロンのフィルターに通して感光性塗工液とした。
この感光性塗工液を支持体−２上に、ロッド番号１４番のバーコーターにより塗工し、１２０℃にて４０秒間乾燥して、ポジ型感光性平版印刷版を製造した。また、このときの塗布質量は、２．０±０．２ｇ／ｍ２ であった。
【０１７０】
（実施例７）
実施例６で使用された感光性塗工液において、［合成例１］で得られたフェノール系樹脂の代わりに、［合成例２］で得られたフェノール系樹脂２．０ｇを使用した以外は実施例６と同様の方法で、ポジ型平版印刷版を製造した。また、このときの塗布質量は、２．０±０．２ｇ／ｍ２ であった。
【０１７１】
（実施例８）
実施例６で使用された感光性塗工液において、［合成例１］で得られたフェノール系樹脂の代わりに、［合成例３］で得られたフェノール系樹脂２．０ｇを使用した以外は実施例６と同様の方法で、ポジ型平版印刷版を製造した。また、このときの塗布質量は、２．０±０．２ｇ／ｍ２ であった。
【０１７２】
（実施例９）
実施例６で使用された感光性塗工液において、［合成例１］で得られたフェノール系樹脂の代わりに、［合成例４］で得られたフェノール系樹脂２．０ｇを使用した以外は実施例６と同様の方法で、ポジ型平版印刷版を製造した。また、このときの塗布質量は、２．０±０．２ｇ／ｍ２ であった。
【０１７３】
（実施例１０）
実施例６で使用された感光性塗工液において、［合成例１］で得られたフェノール系樹脂の代わりに、［合成例６］で得られたフェノール系樹脂２．０ｇを使用した以外は実施例６と同様の方法で、ポジ型平版印刷版を製造した。また、このときの塗布質量は、２．０±０．２ｇ／ｍ２ であった。
【０１７４】
（実施例１１）
実施例６で使用された感光性塗工液において、［合成例１］で得られたフェノール系樹脂の代わりに、［合成例７］で得られたフェノール系樹脂２．０ｇを使用した以外は実施例６と同様の方法で、ポジ型平版印刷版を製造した。また、このときの塗布質量は、２．０±０．２ｇ／ｍ２ であった。
【０１７５】
（実施例１２）
実施例６で使用された感光性塗工液において、［合成例１］で得られたフェノール系樹脂の代わりに、［合成例８］で得られたフェノール系樹脂２．０ｇを使用した以外は実施例６と同様の方法で、ポジ型平版印刷版を製造した。また、このときの塗布質量は、２．０±０．２ｇ／ｍ２ であった。
【０１７６】
（実施例１３）
実施例６で使用された感光性塗工液において、［合成例１］で得られたフェノール系樹脂の代わりに、［合成例１１］で得られたフェノール系樹脂２．０ｇを使用した以外は実施例６と同様の方法で、ポジ型平版印刷版を製造した。また、このときの塗布質量は、２．０±０．２ｇ／ｍ２ であった。
【０１７７】
（実施例１４）
実施例６で使用された感光性塗工液において、［合成例１］で得られたフェノール系樹脂の代わりに、［合成例１２］で得られたフェノール系樹脂２．０ｇを使用した以外は実施例６と同様の方法で、ポジ型平版印刷版を製造した。また、このときの塗布質量は、２．０±０．２ｇ／ｍ２ であった。
【０１７８】
（比較例４）
実施例６で使用された感光性塗工液において、［合成例１］  で得られたフェノール系樹脂の代わりに、［合成例１３］で得られたノボラック樹脂２．０ｇを使用した以外は実施例６と同様の方法で、ポジ型平版印刷版を製造した。また、このときの塗布質量は、２．０±０．２ｇ／ｍ２ であった。
【０１７９】
実施例６〜１４及び比較例４から得られた各ポジ型平版印刷版を洗油Ａ（「ダイキュア洗油Ａ」、大日本インキ化学工業（株）製）およびロール洗油（「ダイキュアローラー洗油」、大日本インキ化学工業（株）製）に、室温下で３０分間浸漬して洗い油耐性の評価を行った。この結果を表７に示す。
【０１８０】
また、実施例６〜１４及び比較例４から得られた各ポジ型平版印刷版に、近赤外線半導体レーザーを搭載したＣｒｅｏセッター３２４４（波長８３０ｎｍ、レーザーパワー８．５Ｗ、回転数１５００ｒｐｍ）（Ｃｒｅｏ社製）にて、画像の書き込みを行った。この際得られた画像部の視認の容易さ（プリントアウト性）を目視にて観察し、評価した。この結果を表７に示す。
また、現像液ＰＤ１（コダックポリクロームグラフィックス社製）を用い、手現像にてポジ画像を得る適点を求めた。これを表８に示す。
【０１８１】
【表７】
0004184813.tif 000022
【０１８２】
表中、網点１−９９は、網点質が１％から９９％まで、問題なく良好に認められることを示す。また、洗い油耐性の評価基準は以下の通りである。
○：版材に何らの変化も認められず、良好である。
×：版材が溶剤に侵されて、使用不可。
また、プリントアウト（露光可視画像性）の項目は、画像部の視認の容易さを表し、評価基準は以下の通りである。
○：視認性が良好である。
△：弱いながらも、何とか視認できる。
×：視認が困難。
【０１８３】
【表８】
0004184813.tif 000023
【０１８４】
表中の現像液ＰＤ１の希釈度１／８は、原液１容量部を水により８容量部に希釈したことを示す。他の事例も同様の希釈度を意味する。
【０１８５】
画像性能における網点品質に関しては、実施例６〜１４及び比較例４から得られたポジ型平版印刷版のいずれも良好であった。
しかしながら、表７から明らかなように、比較例４から得られたポジ型平版印刷版は全く洗い油耐性がないが、実施例６〜１４から得られたポジ型平版印刷版は、溶剤に侵されることなく、良好な洗い油耐性を示した。
また、耐刷性及びプリントアウト性（露光可視画像性）に関しても、実施例６〜１４から得られたポジ型平版印刷版は、表７からも明らかなように、優れた結果を示した。
【０１８６】
実施例６〜１４および比較例４で得られた平版印刷版を水洗し、版面に整面液（ＵＴ１、コダックポリクロームグラフィックス社製）を塗布した後、バーニングオーブン（ＳＰＢＯ−１型、光陽化学社製）中で、２４０℃で５分間バーニング処理した。バーニング処理後の平版印刷版を水洗し、版面にガムを塗布した。得られた平版印刷版を印刷機（ＳＰＲＩＮＴ２６、株式会社小森製）に装着し、インキ（ＧＥＯＳ−Ｇ紅Ｎ、大日本インキ化学工業（株）製、湿し水（ＮＡ−１０８Ｗ（大日本インキ化学工業（株）製）を水で５０倍に希釈した希釈液）、用紙（ロイヤルコート、王子製紙社製）を用いて印刷を行った。耐刷性を評価し、バーニング汚れの有無を観察した。結果を表９に示す。
【０１８７】
【表９】
0004184813.tif 000024
【０１８８】
表９から明らかなように、バーニング処理を施した本発明の平版印刷版（実施例６〜１４）は、バーニング汚れを起こすことなく、耐刷性も向上した。一方、比較例４の平版印刷版では、耐刷性および洗い油耐性は若干向上したものの、バーニング汚れが発生し、実用的ではなかった。
【０１８９】
【発明の効果】
本発明の感光性組成物によれば、主鎖に尿素結合を有するフェノール系樹脂を含有しているため、耐摩耗性、各種印刷薬品中に含まれる溶剤の耐溶剤性に優れた塗膜を得ることができる。
また、本発明の感光性平版印刷版によれば、上記感光組成物からなる感光層が支持体表面に設けられているため、良好な耐刷性、露光可視画像性、耐溶剤性が得られ、特にＵＶインキ印刷時の洗い油耐性に非常に優れている。また、バーニング特性にも優れている。また、本発明の平版印刷版の作製方法によれば、耐刷性、露光可視画像性、耐溶剤性が良好で、特にＵＶインキ印刷時の洗い油耐性に非常に優れ、また、バーニング特性にも優れた平版印刷版を得ることができる。